(57)【要約】片手で簡単にネイル除去をすることができ、指先に突出した連結部がなく、装着したまま、他の作業を行っても位置ずれしたり外れたりしにくいネイル除去補助具（１００）を提供する。シリコン、ゴム等の弾性を有する素材からなり、且つ、指の第一関節から先を挿入できる内部空間を有する先端部（１１）と、前記先端部に前記先端部と一体的に設けられた裾部（１２）とを備え、前記先端部と前記裾部とによって、吸水性を有する素材からなりネイルリムーバー液を内部に保持するネイルリムーバー液保持体（Ｃ）を爪の表面に接触させ、その状態で指を挿入する内部空洞を形成すると共に、前記先端部内に指を挿入した状態で爪が接触するエリアに、ネイルリムーバー液保持体を所定位置に固定するネイルリムーバー液保持体固定部（１２ａ）が設けられたことを特徴とするネイル除去補助具を提供する。
2016147480.tif 000002
【特許請求の範囲】
【請求項１】
シリコン、ゴム等の弾性を有する素材からなり、且つ、指の第一関節から先を挿入できる内部空間を有する先端部と、前記先端部に前記先端部と一体的に設けられた裾部とを備え、前記先端部と前記裾部とによって、吸水性を有する素材からなりネイルリムーバー液を内部に保持するネイルリムーバー液保持体を爪の表面に接触させ、その状態で指を挿入する内部空洞を形成すると共に、前記先端部内に指を挿入した状態で爪が接触するエリアに、ネイルリムーバー液保持体を所定位置に固定するネイルリムーバー液保持体固定部が設けられたことを特徴とするネイル除去補助具。
【請求項２】
前記裾部の端縁であって、前記先端部に指を挿入した際に指の腹側となる側の端縁に、Ｕ字形状の切り欠きであるＵ字切り欠き部を備えたことを特徴とする請求項１に記載のネイル除去補助具。
【請求項３】
ゴム、シリコン等の弾性を有する素材からなり、且つ、指の第二関節から先の少なくとも一部分を覆うことによって、爪の上に、吸水性を有する素材からなりネイルリムーバー液を内部に保持するネイルリムーバー液保持体を接触させ、且つ、前記ネイルリムーバー液保持体を所定位置に固定するカバーを備えたことを特徴とするネイル除去補助具。
【発明の詳細な説明】
【技術分野】
【０００１】    この発明は、指先に施したネイルを除去する際に用いるネイル除去補助具に関する。
【背景技術】
【０００２】  従来、指先に施術したネイルを除去する場合、ネイルリムーバー液をコットンに含浸させ、このコットンを指先のネイル上において指先をアルミホイルで包み、所定時間放置した後、当該アルミホイルを除去し、ネイルリムーバー液の化学作用により除去されたネイルを取り去るようにしていた。【０００３】  また、このようなネイルの除去においては、特許文献１に記載されたような補助具が販売されている。当該補助具は、連結部により指先側を支点として開閉可能に連結された上部片と下部片とで構成されており、ネイルリムーバー液を含浸させたコットンを爪の上に載せた指ごと挟んでネイルリムーバー液をネイルの施術された爪に押し当て、ネイル除去するものである。
【先行技術文献】
【特許文献】
【０００４】
【特許文献１】特開２００９−２７３８７３号公報
【発明の概要】
【発明が解決しようとする課題】
【０００５】  しかし、上記ネイル除去補助具は、指先側に連結部を握って開閉操作を行うものであり、ネイルリムーバー液を含浸させたコットンを、ネイルの施術された爪の上から滑り落ちないよう手で押さえつつ、ネイル除去補助具を開いて、コットンと指を挟むという操作となるため、両手を使う必要があった。従って、自分で、自分の爪のネイルを除去する際には、大変使いづらいものであった。【０００６】また、ネイル除去では、ネイルリムーバー液を、ネイルが施術された爪に浸透させるため、長時間、ネイル除去補助具を装着したままにする必要がある。ネイル除去補助具を装着したまま、本を読んだり、家事をしたり、ちょっとした用事を済ませる際、上記ネイル除去補助具の指先側に突出して設けられた連結部には、物が接触しやすいという問題があった。そこで、この発明は、指先に突出した連結部がなく、片手で簡単にネイル除去をすることができ、装着したまま、他の作業を行っても位置ずれしたり外れたりしにくいネイル除去補助具を提供することにある。
【課題を解決するための手段】
【０００７】  本発明のネイル除去補助具は、シリコン、ゴム等の弾性を有する素材からなり、且つ、指の第一関節から先を挿入できる内部空間を有する先端部と、前記先端部に前記先端部と一体的に設けられた裾部とを備え、前記先端部と前記裾部とによって、吸水性を有する素材からなりネイルリムーバー液を内部に保持するネイルリムーバー液保持体を爪の表面に接触させ、その状態で指を挿入する内部空洞を形成すると共に、前記先端部内に指を挿入した状態で爪が接触するエリアに、ネイルリムーバー液保持体を所定位置に固定するネイルリムーバー液保持体固定部が設けられたことを特徴とする。【０００８】この発明によれば、ドーム形容の先端部の内部であって、前記先端部の内側であって指を挿入した際に爪側となるエリアに、ネイルリムーバー液保持体であるネイルリムーバー液を含浸させたコットンを載置し、そのコットンにネイルを施された爪が接触するように指を挿入すると、ネイル除去補助具の裾部が指まわりをしっかりホールドする。ネイルリムーバー液保持体とは、ネイルリムーバー液を内部に保持する吸水性を有する素材からなり、たとえば、ネイルリムーバー液を含浸させたコットンやガーゼが挙げられる。前記先端部の内側であって指を挿入した際に爪側となるエリアには、ネイルリムーバー液保持体の位置ずれ抑制部が設けられているので、ネイルリムーバー液を含浸させたコットンと爪を、密着して固定でき、ネイルリムーバー液を効率よく、ネイルを施された爪に浸透させることができる。また、この発明のネイル除去補助具は、弾性を有する素材がからなるので、指の太さに応じて伸縮し、ネイルリムーバー液を含浸させたコットンと、ネイルが施術された爪を、隙間なく密着して固定できるので、ネイルリムーバー液のアセトン成分が揮発せず、効率よく爪に施術されたネイルを分解し落とすことができる。【０００９】  また、この発明のネイル除去補助具の前記裾部の端縁であって、前記先端部に指を挿入した際に指の腹側となる側の端縁に、Ｕ字形状の切り欠きであるＵ字切り欠き部を備えたことを特徴とする。【００１０】  この発明によれば、ネイル除去補助具の裾部にＵ字形状の切り欠きであるＵ字切り欠き部が備えられたことにより、裾部を指でつまんで、めくり上げやすく、かつ、どのような太さの指にも、裾部が、しっかりフィットして、ネイルリムーバー液を含浸させたコットンと指を、しっかり包み込むことができる。爪の上に載置したコットンを、密着させ、しっかりホールドするので、ネイルを施された爪に、ネイルリムーバー液を効率よく浸透させることができる。【００１１】  また、この発明のネイル除去補助具は、ゴム、シリコン等の弾性を有する素材からなり、且つ、指の第二関節から先の少なくとも一部分を覆うことによって、爪の上に、吸水性を有する素材からなりネイルリムーバー液を内部に保持するネイルリムーバー液保持体を接触させ、且つ、前記ネイルリムーバー液保持体を所定位置に固定するカバーを備えたことを特徴とする。【００１２】  この発明によれば、ネイルリムーバー液を浸み込ませたコットンを爪の上に載せた状態のまま、指ごと、すっぽりと包み込んで固定できるので、ネイルリムーバー液を浸み込ませたコッ��ンが爪の上から位置ずれせず、効率よく、ネイルを施された爪にネイルリムーバー液を浸透させることができる。また、ネイル除去補助具を装着した手を動かしても、ネイル除去補助具がずれたり外れたりしないので、ネイル除去補助具使用時に、本を読んだり、家事をしたり、ちょっとした用事を済ませることができ、時間を有効に使用できる。
【図面の簡単な説明】
【００１３】
【図１】この発明の実施形態１にかかるネイル除去補助具の斜視図である。
【図２】(ａ)は、図１に示したネイル除去補助具の平面図であり、（ｂ）は図１に示したネイル除去補助具の底面図である。
【図３】（ａ）は、図１に示したネイル除去補助具の正面図であり、（ｂ）は、図１に示したネイル除去補助具の右側面図である。
【図４】図１に示したネイル除去補助具の使用方法１を示す参考図である。図４（ａ）から図４（ｃ）は、ネイル除去補助具の右側面視、図４（ｄ）は、ネイル除去補助具を開口部側から見た正面図である。
【図５】図１に示したネイル除去補助具の使用方法１を示す参考図である。図５（ｄ）は、図５（ｃ）のＤ部拡大断面図である。
【図６】図１に示したネイル除去補助具の使用方法２を示す参考図である。
【図７】図１に示したネイル除去補助具の使用方法３を示す参考図である。
【図８】（ａ）は、この発明の実施形態２にかかるネイル除去補助具の斜視図であって、（ｂ）は、図８（ａ）に示したネイル除去補助具の先端カバーを開いた状態を示す斜視図である。
【図９】図８（ａ）に示したネイル除去補助具の使用方法を説明する参考図である。
【図１０】この発明の実施形態３にかかるネイル除去補助具の斜視図である。
【図１１】図１０に示したネイル除去補助具の使用方法を示す参考図である。
【図１２】図１０に示したネイル除去補助具の使用方法を示す参考図である。
【図１３】図１０に示したネイル除去補助具の使用方法を示す参考図である。
【図１４】この発明の実施形態４にかかるネイル除去補助具の斜視図である。
【図１５】図１４に示したネイル除去補助具の使用方法を示す参考図である。
【図１６】図１４に示したネイル除去補助具の使用方法を示す参考図である。
【図１７】図１４に示したネイル除去補助具の使用方法を示す参考図である。
【図１８】図１４に示したネイル除去補助具の使用方法を示す参考図である。
【図１９】この発明の実施形態５にかかるネイル除去補助具の斜視図である。
【図２０】図１９に示したネイル除去補助具の先端カバーを開いた状態を示す斜視図である。
【図２１】図１９に示したネイル除去補助具の使用方法を示す参考図である。
【図２２】図１９に示したネイル除去補助具の使用方法を示す参考図である。
【図２３】図１９に示したネイル除去補助具の使用方法を示す参考図である。
【図２４】図１９に示したネイル除去補助具の使用方法を示す参考図である。
【図２５】この発明の実施形態６にかかるネイル除去補助具の斜視図である。
【図２６】図２５に示したネイル除去補助具の使用方法を示す参考図である。
【図２７】図２５に示したネイル除去補助具の使用方法を示す参考図である。
【図２８】図２５に示したネイル除去補助具の使用方法を示す参考図である。
【図２９】この発明の実施形態７にかかるネイル除去補助具の斜視図である。
【図３０】図２９に示したネイル除去補助具の平面図である。
【図３１】図２９に示したネイル除去補助具の右側面図である。
【図３２】図２９に示したネイル除去補助具の左側面図である。
【図３３】図２９に示したネイル除去補助具の背面図である。
【図３４】図２９に示したネイル除去補助具の正面図である。
【図３５】図２９に示したネイル除去補助具の底面図である。
【図３６】図２９に示したネイル除去補助具の使用方法を説明するための参考図である。
【図３７】図２９に示したネイル除去補助具の使用方法を説明するための参考図である。
【図３８】図２９に示したネイル除去補助具の使用方法を説明するための参考図である。
【図３９】この発明の実施形態８にかかるネイル除去補助具の斜視図である。
【図４０】図３９に示したネイル除去補助具の平面図である。
【図４１】図３９に示したネイル除去補助具の右側面図である。
【図４２】図３９に示したネイル除去補助具の左側面図である。
【図４３】図３９に示したネイル除去補助具の背面図である。
【図４４】図３９に示したネイル除去補助具の正面図である。
【図４５】図３９に示したネイル除去補助具の底面図である。
【図４６】図３９に示したネイル除去補助具の使用方法を説明するための参考図である。
【図４７】図３９に示したネイル除去補助具の使用方法を説明するための参考図である。
【図４８】図３９に示したネイル除去補助具の使用方法を説明するための参考図である。
【図４９】この発明の実施形態９にかかるネイル除去補助具の斜視図である。
【図５０】図４９に示したネイル除去補助具の平面図である。
【図５１】図４９に示したネイル除去補助具の右側面図である。
【図５２】図４９に示したネイル除去補助具の左側面図である。
【図５３】図４９に示したネイル除去補助具の背面図である。
【図５４】図４９に示したネイル除去補助具の正面図である。
【図５５】図４９に示したネイル除去補助具の底面図である。
【図５６】図４９に示したネイル除去補助具の使用方法を説明するための参考図である。
【図５７】図４９に示したネイル除去補助具の使用方法を説明するための参考図である。
【図５８】図４９に示したネイル除去補助具の使用方法を説明するための参考図である。
【図５９】この発明の実施形態１０にかかるネイル除去補助具の斜視図である。
【図６０】図５９に示したネイル除去補助を別方向から見た状態を示す参考斜視図である。
【図６１】（ａ）は、図５９に示したネイル除去補助具の右カバー、左カバー及び先端カバーを開いた状態を示す斜視図であって、（ｂ）は図５９に示したネイル除去補助具の右カバー、左カバー及び先端カバーを底面に対して垂直に立てた状態を示す斜視図である。
【図６２】図５９に示したネイル除去補助具の使用方法を説明する参考図である。
【図６３】図５９に示したネイル除去補助具の使用方法を説明する参考図である。
【図６４】図６３に示したネイル除去補助具のＢ−Ｂ断面図である。
【発明を実施するための形態】
【００１４】以下、本発明の実施の形態について、図面を示しながら詳細に説明する。（実施の形態１）
【００１５】図１は、この発明の実施形態１にかかるネイル除去補助具の斜視図である。図２(ａ)は、図１に示したネイル除去補助具の平面図であり、（ｂ）は図１に示したネイル除去補助具の底面図である。図３（ａ）は、図１に示したネイル除去補助具の正面図であり、（ｂ）は、図１に示したネイル除去補助具の右側面図である。
【００１６】  図１に示すように、本実施の形態１のネイル除去補助具１００は、指の少なくとも第一関節から先を挿入できる内径を備えたドーム形状の先端部１１と、先端部１１の端縁に、先端部１１と一体的に形成された裾部１２を主に有している。
【００１７】ネイル除去補助具１００は、内部にネイルリムーバー液保持体を爪の表面に接触させた指を保持する内部空洞を有している。ネイルリムーバー液保持体は、吸水性を有する素材からなりネイルリムーバー液を内部に保持するものである。ネイルリムーバー液保持体として、本発明の実施の形態１では、ネイルリムーバー液を含浸させたコットンＣを使用する。ネイルリムーバー液保持体は、ネイルリムーバー液を含浸させたガーゼその他の柔らかい布でもよい。ネイル除去補助具１００は、指を挿入した際に指の先端が当たる部分が丸みをおびたドーム形状となっており、指を挿入した際に指の根元がくる側は開口している。指先端側の丸いドーム形状部分は、先端部１１である。先端部１１の下部には、先端部１１と一体的に設けられた裾部１２が設けられている。裾部１２は、先端部１１の下部と略同径の筒形状であって裾部１２の下端の先端部１１に指を挿入したときに指の腹側にあたるエリアにはＵ字切り欠き部１２ａが設けられている。また、先端部１１の内側面であって、先端部１１に指を挿入した際に指の爪があたるエリアには、複数の凸部１１ａが設けられている。凸部１１ａは、ネイルリムーバー液保持体であるネイルリムーバー液を含浸させたコットンＣの位置を固定する、ネイルリムーバー液保持体固定部である。ネイル除去補助具１００は、少なくとも、指の第二関節から先の少なくとも一部分を覆う形状となっている。
【００１８】裾部１２の正面側（換言すると、先端部１１に指を挿入したときに指の腹側にあたるエリア）の下端縁は、Ｕ字形状（換言するとアーチ形状）に切り取られており、Ｕ字切り欠き部１２ａとなっている。Ｕ字切り欠き部１２ａの形状及び寸法について説明する。Ｕ字切り欠き部１２ａは、ネイル除去補助具の１００の裾部１２の下端から溝１３近傍にかけて、Ｕ字形状に切り取られた切り欠きである。Ｕ字切り欠き部１２ａの切り欠きの先端は、溝１３近傍まで達している。Ｕ字切り欠き部１２ａは、裾部１２下端から溝１３までの距離のおよそ３分の２の地点まで達した切り欠きである。Ｕ字切り欠き部１２ａが、裾部１２から溝１３近傍まで延伸していることによって、指に装着する際に、裾部１２の内径が広がりやすい。太い指にもネイル除去補助具１００を装着することができる。Ｕ字切り欠き部１２ａが設けられていることで、ネイル除去補助具１００を、どのような太さの指にも、簡単に装着できる。ネイル除去補助具１００は、弾性を有する素材からなり、装着時に押し広げた裾部１２は、指を入れたあとは、しっかりと指にフィットする。そのため、指とネイルリムーバー液を含浸させたコットンＣとを、しっかり包み込んで固定することができる。
【００１９】Ｕ字切り欠き部１２ａの切り欠きの横幅寸法は、裾部１２の外周の長さに対して約３分の１から２分の１の寸法を有している。Ｕ字切り欠き部１２ａの横幅寸法は、狭すぎると、裾部１２を広げにくく太い指を包みこめない。少なくとも外周長さに対して３分の１以上の横幅寸法を担保する必要がある。そして、Ｕ字切り欠き部１２ａの横幅寸法は、広すぎても指から抜け落ちやすくなる。程よくフィットさせるには、Ｕ字切り欠き部１２ａの横幅寸法を、外周長さに対し２分の１よりも狭くする必要がある。したがって、指から抜け落ちにくく、かつ、指をしめつけすぎず程よいフィット感を得られるＵ字切り欠き部１２ａの最適な横幅寸法は、裾部１２の外周の長さに対して約３分の１から２分の１の寸法を有したものである。
【００２０】また、Ｕ字切り欠き部１２ａの切り欠きの両端は、それぞれ、丸みを帯びた曲線を描いており、左つまみ部１２ｂ及び右つまみ部１２ｃとなっている。丸みを帯びた角である左つまみ部１２ｂ及び右つまみ部１２ｃが設けられていることによって、両端近傍部分が指でつまみやすく、ネイル除去補助具１００の脱着が容易となっている。
【００２１】ネイル除去補助具１００の内側面は、裏面１４となっている。ネイル除去補助具１００の裏面１４であって、先端部１１の内側面の、先端部１１に指を挿入した際に指の爪があたるエリアには、複数の凸部１１ａが設けられている。凸部１１ａは、ネイルリムーバー液保持体であるネイルリムーバー液を含浸させたコットンＣの位置を固定する、ネイルリムーバー液保持体固定部である。
【００２２】  図２（ａ）に示すように、ネイル除去補助具１００は、平面視、丸みを帯びたドーム形状の先端部１１の下に裾部１２が先端部１１と一体的に設けられ、先端部１１と裾部１２との境界には細い溝１３が設けられている。ネイル除去補助具１００の素材は、ゴム素材やシリコン素材等、弾性を有する素材からなる。溝１３が設けられていることで、裾部１２を溝１３の部分から折り曲げることができる。したがって、裾部１２を上側にめくりあげて、裾部１２の裏面を表側に出すことが容易である。
【００２３】裾部１２の正面は、裾野がＵ字形状に切り取られており、Ｕ字切り欠き部１２ａとなっている。裾部１２をＵ字形状に切り欠くことで、切り欠きの両端に、左つまみ部１２ｂと右つまみ部１２ｃとが形成される。左つまみ部１２ｂと右つまみ部１２ｃが設けられていることにより、指でつまみやすく、裾部１２をめくり上げやすい。また、ネイル除去補助具１００は、弾性を有する素材で作られており、裾部１２正面側にＵ字形状の切り欠きが設けられていることによって、ネイル除去補助具１００が、太い指にも細い指にも、フィットするという効果も奏する。裾部１２の切り欠きの形状は、Ｕ字形状（換言するとアーチ形状）のほか、Ｖ字形状としてもよいが、Ｖ字形状の切り欠きの場合、左つまみ部１２ｂと右つまみ部１２ｃをつまんで開く際、Ｖ字形状の先端部分に負荷がかかり亀裂が入りやすい。左つまみ部１２ｂと右つまみ部１２ｃをつまんで開く動作を何度も行う、Ｖ字形状の先端部分に入った亀裂が徐々に広がり、裾部１２が破損しやすくなる。したがって、切り欠きの形状はＵ字形状（換言するとアーチ形状）とするほうが、耐久性の高いネイル除去補助具１００を提供することができる。
【００２４】   図２（ｂ）に示すように、ネイル除去補助具１００は、底面視、丸みを帯びたドーム形状の先端部１１の下に、先端部１１の下縁と略同径の裾部１２が一体的に設けられ、先端部１１と裾部１２との境界は細い溝１３が設けられている。溝１３の幅は、０．２ミリメートルから３ミリメートルの間であって、最適は幅は０．２ミリメートルから１．５ミリメートルの間である。また、ネイル除去補助具１００の下側（換言すると指を挿入した際に、指の根元がくる側）の開口は、円ではなく、横長の楕円形状となっている。開口が楕円形状であることで、爪の上に載置したコットンを、爪の上に、しっかりと密着させるよう、上下から抑えて固定できる。
【００２５】ネイル除去補助具１００の内側にある裏面１４であって、先端部１１の内側に相当する部分の指を挿入した際に指の爪があたるエリアには、ネイルリムーバー液を含浸させたコットンＣの位置ずれ抑制部である凸部１１ａが複数設けられている。凸部１１ａは、先端部１１及び裾部１２と同じ素材で一体成型されており直径１ミリメートルから３ミリメートル程度で半球状に盛り上がった凸部である。凸部１１ａは、ネイル除去補助具１００の内側全面に設けてもよいし、一部のエリアだけ設けてもよいが、少なくとも、ネイルリムーバー液を含浸させたコットンＣが接触する部分には設けておく必要がある。ネイルリムーバー液保持体であるネイルリムーバー液を含浸させたコットンＣと、複数の凸部１１ａとが接することによって、ネイルリムーバー液を含浸させたコットンＣの位置ずれを抑制するためである。ネイル除去補助具１００を使用する際、凸部１１ａは、ネイルリムーバー液を含浸させたコットンＣと接することで、凸部１１ａが、ネイルリムーバー液を含浸させたコットンＣを上から押さえて役目を担う。凸部１１ａは、ネイルリムーバー液を含浸させたコットンＣが、爪からズレないように滑り止めの役割を果たす。ネイルを施された爪に、ネイルリムーバー液を含浸させたコットンＣを密着させることができるので、ネイルを施された爪にネイルリムーバー液を効率よく浸透させる。ネイルリムーバー液を含浸させたコットンＣのすべり止めとして、凸部１１ａの代わりに、細い溝を複数設けたり、土手のように細長く連なった盛り上がりを設けてもよい。細い溝や、細長く連なった盛り上がりは、直線状としても曲線状としてもよい。
【００２６】  図３（ａ）に示すように、ネイル除去補助具１００は、正面視、横長の楕円形状の空洞を備えていて、ネイル除去補助具１００の先端部１１の内側面であって、先端部１１に指を挿入した際に指の爪があたるエリアには、複数の凸部１１ａが設けられている。凸部１１ａは、ネイルリムーバー液保持体であるネイルリムーバー液を含浸させたコットンＣの位置を固定する、ネイルリムーバー液保持体固定部である。ネイル除去補助具１００の裾部１２の厚みは、１ミリメートルから５ミリメートルが良く、最適なものは１ミリメートルから２ミリメートル程度の厚みのものである。厚みが厚過ぎると、裾部１２をめくりにくく、薄すぎると、指に装着した際に指にフィットせず、外れやすくなる。ネイル除去補助具１００の裾部１２の厚みを1ミリメートルから２ミリメートルとすることで、指に装着する際に、裾部１２をめくりあげやすく、かつ、指を挿入したときに、しっかりと指にフィットさせることができる。
【００２７】  ネイル除去補助具１００の素材は、ゴム素材やシリコン素材等の柔らかく弾性を有する素材が適している。アセトンを含むネイルリムーバー液が直接触れるので、アセトンで溶けてしまわない素材のものを用いる必要がある。ゴム素材やシリコン素材を用いるようにすれば、柔らかく伸縮性も備えているため、指を挿入したとき、指先全体をしっかりホールドし、ネイルリムーバー液を含浸させたコットンを爪に密着させて、ネイルを施された爪にネイルリムーバー液を効率よく浸透させることができる。
【００２８】  図３（ｂ）に示すように、ネイル除去補助具１００は、左側面視、中央に外周に沿って溝１３が設けられており、溝１３の右側は先端部１１、溝１３の左側は裾部１２となっている。先端部１１は、指先の丸みに沿ったカーブと略同じカーブを描いている。溝１３は、幅１ミリメートルから２ミリメートル程度の細い溝である。溝１３が設けられたことで、ネイル除去補助具１００の裾部１２を、溝１３の部分で折り曲げやすい。すなわち、裾部１２を、溝１３の部分から折り返し、先端部１１の上側に重ねるように、めくりあげることが容易に可能である。
【００２９】  ネイル除去補助具１００は、弾性を有する素材からなるため、指の太さに応じて伸縮しフィットするが、手の親指用や足の指用、また、指が太い人用に、サイズを変えたネイル除去補助具１００を作成してもよい。また、Ｕ字切り欠き部１２ａの切り込みを深くすると、より太い指にもフィット可能なネイル除去補助具１００とすることができる。
【００３０】次に、図４及び図５を示しながら、ネイル除去補助具１００の使用方法１について説明する。図４及び図５は、図１に示したネイル除去補助具の使用方法１を示す参考図である。
【００３１】まず最初に、図４（ａ）に示すように、ネイル除去補助具１００の裾部１２の端を持ち、裾部１２を外側にめくりあげる。  ネイル除去補助具１００は、中央近傍に外周に沿って溝１３が設けられており、裾部１２は、溝１３のところから外側に折り曲げることができる。ネイル除去補助具１００を、先端部１１が下側に、開口部が上に来るように、手で保持する。それから図４（ｂ）のように、ネイル除去補助具１００の内側にある凸部１１ａが複数配置されたエリアに、ネイルリムーバー液を含浸させたコットンCを、挿入する。
【００３２】図４（ｃ）に示すように、ネイル除去補助具１００の内側には、凸部１１ａが設けられているので、ネイルリムーバー液を含浸させたコットンＣが滑らず先端部１１の内部に保持される。凸部１１ａは、ネイルリムーバー液保持体であるネイルリムーバー液を含浸させたコットンＣの位置を固定する、ネイルリムーバー液保持体固定部である。ネイルリムーバー液を含浸させたコットンＣの大きさは、ネイルを施した爪を覆う程度の大きさのものを使用する。図４（ｄ）に示すように、ネイル除去補助具１００の先端部１１は、指が挿入できる大きさの内径を備えている。このようにして、ネイル除去補助具１００を使用する際は、先端部１１の底面に、ネイルリムーバー液を含浸させたコットンＣを敷いて下準備を行っておく。
【００３３】  ネイル除去補助具１００にネイルリムーバー液を含浸させたコットンＣをセットして下準備ができたら、図５（ａ）に示すように、ネイル除去補助具１００を、先端部１１が下側に、開口が上になるような方向に、保持する。それから、ネイルを施した指を、ネイル除去補助具１００の先端部１１の中に差し入れて、ネイルリムーバー液を含浸させたコットンＣに、ネイルを施した爪を密着させる。
【００３４】  図５（ｂ）に示すように、ネイル除去補助具１００の先端部１１の奥まで、ネイルを施した爪を挿入したら、折り返してあった裾部１２をまっすぐに戻す。裾部１２を折り返す際、ネイルを施した爪とネイルリムーバー液を含浸させたコットンＣとが、ずれないように、先端部１１の上から指で押さえながら裾部１２をのばしていくとよい。
【００３５】  図５（ｃ）に示すように、裾部１２をまっすぐに伸ばして、ネイルを施した爪と指を、ネイル除去補助具１００ですっぽり包み込む。ネイル除去補助具１００は、伸縮性ある素材からできているので、指をしっかりと包み込み、ネイルを施した爪とネイルリムーバー液を含浸させたコットンＣとを、しっかりと密着させる。先端部１１の内側であって、指の爪があたるエリアには、複数の凸部１１ａが設けられているので、複数の凸部１１ａが、しっかりと、ネイルリムーバー液を含浸させたコットンＣを押さえて爪に密着させる。したがって、ネイルリムーバー液が、ネイルを施術された爪に効率よく浸透する。また、ネイル除去補助具１００の裾部１２及び先端部１１には、隙間や穴がないので、コットンＣに浸み込んだネイルリムーバー液が揮発しにくく、ネイルにネイルリムーバー液を効率よくネイルを施術された爪に浸透させることができる。
【００３６】  次に、ネイル除去補助具１００の別の使用方法２について、説明する。ネイル除去補助具１００は、ネイルリムーバー液を含浸させたコットンＣを爪の上に載せた指を、ネイル除去補助具１００に挿入する方法でも使用可能である。図６は、図１に示したネイル除去補助具の使用方法２を示す参考図である。
【００３７】  まず、最初に、図６（ａ）に示すように、ネイル除去補助具１００の裾部１２の端縁を指でつまみ、先端部１１のほうに、めくりあげて、先端部１１に指先を挿入しやすいようにしておく。そして、ネイルを施した爪の上に、ネイルリムーバー液を含浸させたコットンＣを載置して、そのまま、ゆっくり、ネイルリムーバー液を含浸させたコットンＣを爪の上に載せた指をネイル除去補助具１００の先端部１１のドーム内に挿入する。
【００３８】  それから、図６（ｂ）に示すように、先端部１１側にめくりあげた裾部１２の端縁を指でつまんで下側に戻し、図６（ｃ）に示すように、ネイル除去補助具１００で指を包むようにして固定する。このとき、ネイル除去補助具１００の先端部１１の中に挿入した指先を上から押さえながら、裾部１２を指にかぶせるとよい。裾部１２をまっすぐに整えて、指の第一関節から先が、ネイル除去補助具１００で、しっかりホールドされるよう、ネイル除去補助具の位置を整え、あとは、ネイルリムーバー液が、ネイルを施された爪に浸透するまで、ゆっくりと待つ。
【００３９】  ネイル除去補助具１００は、ゴム素材やシリコン素材でできており、伸縮性があり、しっかりと隙間なく指先をつつみこむ。先端部１１の内側であって、指の爪があたるエリアには、複数の凸部１１ａが設けられているので、複数の凸部１１ａが、しっかりと、ネイルリムーバー液を含浸させたコットンＣを押さえて爪に密着させる。したがって、ネイルリムーバー液が、ネイルを施術された爪に効率よく浸透する。また、ネイル除去補助具１００の裾部１２及び先端部１１には、隙間や穴がないので、コットンＣに浸み込んだネイルリムーバー液が揮発しにくく、ネイルにネイルリムーバー液を効率よくネイルを施術された爪に浸透させることができる。爪に施術されたネイルを落とすのに、ネイル除去補助具１００を用いれば、短時間で効率的に、ネイルを落とすことができる。
【００４０】  ネイルの中でも、ジェルネイルは、マニキュア等と比べて落ちにくく、ネイルリムーバー液をしっかりとネイルを施された爪に浸透させる必要があり、除去作業に多くの時間がかかる。また、ネイルリムーバー液の主成分であるアセトンは、大変揮発しやすい性質をもっているので、ネイルリムーバー液を含浸させたコットンCをネイルを施された爪に密着させる際、周囲を密閉してアセトンの揮発を防ぐ必要がある。ネイル除去補助具１００は、ネイルリムーバー液を含浸させたコットンCと、ネイルが施された爪を、しっかりと密着させ、指全体を覆って密閉することができるので、マニキュアはもちろん、ジュエルネイルの除去を、効率的に行うことができることが特徴である。
【００４１】  次に、ネイル除去補助具１００は、セルフネイルの際だけでなく、ネイルサロン等で、他人の爪に施術されたネイルを除去する際にも使用できる。図７は、図１に示したネイル除去補助具の使用方法３を示す参考図である。
【００４２】  ネイルサロン等で、ネイリストが顧客のネイル除去を行う際は、図４に示す使用方法１と同じ下準備をしておく。すなわち、ネイル除去補助具１００の内側の凸部１１ａが複数配置されたエリアに、ネイルリムーバー液を含浸させたコットンＣが接するように入れておく。下準備ができたら、図７（ａ）に示すように、顧客の指を、指の腹側から支えるようにして保持して、ネイル除去補助具１００の内側に差し入れる。
【００４３】  顧客の指をネイル除去補助具１００の中に入れたら、図７（ｂ）のように、ネイル除去補助具１００のサイドをつまむように保持し、ネイル除去補助具１００を縦に広げるようにしながら、顧客の指にネイル除去補助具１００を装着する。顧客の指先が、ネイル除去補助具１００の先端部１１の奥まで入ったら、次に、図７（ｃ）のように、ネイル除去補助具１００の溝１３の部分に指先をあてて、めくり返された裾部１２をまっすぐに戻すように、のばしていく。裾部１２が、まっすぐになったら、図７（ｄ）のように、指でネイル除去補助具１００の上から軽くおさえるようにして、ネイル除去補助具１００を指にしっかりとフィットさせる。
【００４４】  ネイル除去補助具１００は、ネイルリムーバー液を含浸させたコットンＣを、ネイルが施された爪にしっかりと密着させて密閉できる。ジェルネイルその他のネイルを、効率よく除去することができるので、セルフネイルのほか、ネイルサロンで顧客のネイルを迅速に綺麗に除去する際にも、ネイル除去補助具１００は、大変有用である。
【００４５】（実施の形態２）  次に、図８を示しながら、実施の形態２にかかるネイル除去補助具２００を説明する。図８（ａ）は、この発明の実施形態２にかかるネイル除去補助具の斜視図である。図８（ｂ）は、図８（ａ）に示したネイル除去補助具の先端カバー２７を開いた状態を示す斜視図である。
【００４６】  このネイル除去補助具２００は、指が載置できる大きさの略長方形状の底面２８と、前記底面２８の先端に設けられた先端カバー２７、前記底面２８の長手方向の辺の両側に設けられた右カバー２４及び左カバー２３を備えている。右カバー２４と左カバー２３の先端には係止部２５、２６が設けられており、係止部２５、２６は、互いに係止可能となっている。右カバー２４の先端の係止部２６と左カバー２３先端の係止部２５を係止すると、底面２８と、右カバー２４及び左カバー２３とが、指の形状に略相違する形状の内部空間を形成する。ネイルリムーバー液保持体として、本発明の実施の形態２では、ネイルリムーバー液を含浸させたコットンＣを使用する。ネイルリムーバー液保持体は、ネイルリムーバー液を含浸させたガーゼその他の柔らかい布でもよい。
【００４７】  図８（ａ）に示すように、ネイル除去補助具２００の右カバー２４及び左カバー２３は、略長方形状の底面２８の長手方向の辺から両側に設けられ、底面２８と一体的に形成されている。先端カバー２７は、略長方形状の底面２８の短手方向の一辺に設けられ、これも、底面２８と一体的に形成されている。底面２８、右カバー２４、左カバー２３は、柔らかく、弾力性を持ったシリコン素材からなり、右カバー２４、左カバー２３は、底面２８に対し垂直の角度まで容易に曲げることができる。
【００４８】  右カバー２４及び左カバー２３は、ネイル除去補助具２００では、底面２８の両側に、翼形状に設けられているが、右カバー２４及び左カバー２３の形状は、翼形状に限定されない。底面２８の左右に帯状物を設け、それぞれの先端に互いに係止可能な係止部を設けても良い。右カバー２４と左カバー２３の先端に設けられた係止部を互いに着脱して指を固定できれば、右カバー２４と左カバー２３は、どのような形状でも良い。
【００４９】  右カバー２４及び左カバー２３は、底面２８と一体的に形成するほか、底面２８の長手方向の辺に、接続具その他で回転可能に取り付けても良い。右カバー２４、左カバー２３を、接続具で底面２８に対し回転可能に取り付ける場合は、右カバー２４、左カバー２３及び底面２８の素材は、薄いプラスチックシート等、硬めの素材で形成しても良い。
【００５０】  先端カバー２７は、底面２８の短手方向の一辺から、底面２８と一体的に形成されている。底面２８短手方向の一辺と先端カバー２７の上辺は接続されており、先端カバー２７の下部は開口していて、ちょうど。スリッパの足先挿入部分のような形状のポケットを形成している。実施の形態２のネイル除去補助具２００は、この、底面２８と先端カバー２７とで形成されたポケットの中に指の先端を挿入して使用する。
【００５１】  底面２８及び先端カバー２７は、柔らかく、弾力を有するシリコン素材で作られており、先端カバー２７は、図８（ｂ）に示すように、上に開かせることもできる。先端カバー２７を開くと、開口が上向きに大きく開くので、ネイルリムーバー液を含浸させたコットンCを、ネイルが施術された爪の上に載せた指を、先端カバー２７の中に挿入しやすくなる。
【００５２】  右カバー２４と左カバー２３の先端には、係止部２５、２６が設けられており、相互に係止すると、底面２８との間隙に指の直径と略同じか少し大きい空間を形成することができる。係止部２５、２６は、本実施の形態では、係止部２５がキノコ形状の突起、係止部２６は、係止部２５の突起に対応した大きさの孔となっているが、係止部２５、２６は、互いに着脱可能であれば、突起と孔に限定されない。スナップで係止する形態としても良いし、ボタンとボタンホールでも良いし、凹部と、凹部に対応した突起を嵌めて係止する形態としても良い。また、磁石を取り付けて、留め合わせるようにしてもよい。
【００５３】  次に、図９を示しながら、本実施形態２のネイル除去補助具２００の使用方法を説明する。図９は、図７に示したネイル除去補助具の使用方法を説明する参考図である。
【００５４】  指先に施術したネイルを除去するには、まず、最初に、図９に示すように、ネイル除去補助具２００の先端カバー２７を上に持ち上げてネイルリムーバー液を含浸させたコットンＣを、の上に載せた指先を先端カバー２７の中に挿入する。その際、底面２８に、指の腹面が接するよう指を載置する。それから、右カバー２４及び左カバー２３を重ねるようにして閉じ、係止部２５と２６を係止して、指を底面２８に固定する。このようにすると、指は、底面２８の上にしっかりと固定される。ネイルの施された爪の上に載せられたネイルリムーバー液を含浸させたコットンＣは、先端カバー２７と底面２８の間に位置ずれせず挟まれ、ネイルリムーバー液がネイルを施された爪に、しっかりと浸透する。
【００５５】（実施の形態３）  次に、図１０から図１３を示しながら、実施の形態３にかかる実施の形態３にかかるネイル除去補助具３００を説明する。図１０は、この発明の実施形態３にかかるネイル除去補助具の斜視図である。
【００５６】  このネイル除去補助具３００は、底面３８、先端カバー３７、右カバー３４及び左カバー３３を主に有する。底面３８は指が載置できる大きさを備えている。先端カバー３７は、底面３８と一体に設けられ、前記底面３８の上方に設けられている。右カバー３４及び左カバー３３は、底面３８の長手方向の辺から両側に、前記底面と一体に設けられている。右カバー３４と左カバー３３の先端には係止部３５、３６が設けられており、係止部３５、３６は、互いに係止可能となっている。右カバー３４の先端の係止部３６と左カバー３３先端の係止部３５を係止すると、底面３８と、右カバー３４及び左カバー３３とが、指の形状に略相違する形状の内部空間を形成する。また、先端カバー３７の下には、右カバー３４及び左カバー３３との間に、開口が形成される。係止部３５、３６は、実施の形態３では、先端に設けられた球状物となっており、互いに絡ませて捻ると係止できるようになっている。ネイルリムーバー液保持体として、本発明の実施の形態１では、ネイルリムーバー液を含浸させたコットンＣを使用する。ネイルリムーバー液保持体は、ネイルリムーバー液を含浸させたガーゼその他の柔らかい布でもよい。
【００５７】  図１０に示すように、ネイル除去補助具３００の右カバー３４及び左カバー３３は、略長方形状の底面３８の長手方向の辺から両側に、底面３８と一体的に形成され設けられている。先端カバー３７は、略長方形状の底面３８の短手方向の一辺に設けられ、これも、底面３８と一体に形成されている。右カバー３４、左カバー３３は、柔らかく、弾力性を持ったシリコン素材からなり、右カバー３４、左カバー３３は、底面３８に対し垂直の角度まで容易に曲げることができる。また、底面３８と先端カバー３７は、一体となって袋形状を形成しており、柔らかく弾力を有するシリコン素材からなるため、袋形状の内側面が外側にくるように、ひっくり返すことも容易である。底面３８、先端カバー３７、右カバー３４及び左カバー３３は、シリコン素材のほか、ゴム素材や薄いプラスチック素材を用いても良い。
【００５８】  右カバー３４及び左カバー３３は、ネイル除去補助具３００では、底面３８の両側から翼形状に設けられている。右カバー３４及び左カバー３３の形状は、翼形状のほか、底面３８の両側に帯状の右カバー３４及び左カバー３３を設け、それぞれの先端に互いに係止可能な係止部を設けても良い。
【００５９】  先端カバー３７端縁の中央付近には、指でつまめる程度の大きさのつまみ３９が設けられている。つまみ３９は本実施の形態３では、先端カバー３７と一体的に設けられた丸い出っ張りであるが、つまみ３９は、丸い形態のほか、四角形その他の形状でも良く、また、先端カバー３７に突起を接着することによって形成しても良い。つまみ３９をつまんで、軽く持ち上げるようにすると、先端カバー３７の調整ができ、先端カバー３７の位置ずれを直しやすい。つまみ３９は、利き手でないほうの手でも、つまみやすいので、楽に、先端カバー３７の位置調整ができる。
【００６０】  次に、図１１から図１３を示しながら、この発明の実施形態３にかかるネイル除去補助具３００の使用方法を説明する。図１１から図１３は、図１０に示したネイル除去補助具の使用方法を示す参考図である。
【００６１】  図１１に示すように、まず、事前準備として、底面３８の外側に右手親指をあて、先端カバー３７をめくりあげて、底面３８と先端カバー３７とで形成された袋の内側が外側になるよう、ひっくりかえしておく。また、ネイルの施術された爪の上に、ネイルリムーバー液を含浸させたコットンＣを載置しておく。ひっくりかえした底面３８に右手親指をあて、ネイルリムーバー液を含浸させたコットンＣを載せた爪の上に置いて、右カバー３４及び左カバー３３をネイルの施術された指に沿わせるようして、先端カバー３７を戻していく。
【００６２】図１２に示すように、ネイルリムーバー液を含浸させたコットンＣを爪の上に載せた指先が、先端カバー３７の内部に収まるようにネイル除去補助具３００を指先にかぶせていく。指の先端が底面３８と先端カバー３７とで形成された袋の中に収まったら、右カバー３４に設けられた係止部３６と左カバー３３に設けられた係止部３５を係止して、ネイル除去補助具３００を、指に固定させる。
【００６３】  図１３は、ネイル除去補助具３００を、ネイルを施術した爪と指に装着した状態を示している。ネイル除去補助具３００の先端カバー３７の下側には指の腹部分が見えている。ネイル除去補助具３００は、ネイルを施術した爪の上にネイルリムーバー液を含浸させたコットンＣを載せた状態で、指をしっかりと包み込んで固定できる。したがって、ネイルリムーバー液を含浸させたコットンＣが、ネイルを施された爪の上からズレたりすることがなく、ネイルを施術した爪に、ネイルリムーバー液の成分をしっかりと浸透させることができる。
【００６４】（実施の形態４）  次に、図１４から図１８を示しながら、実施形態４のネイル除去補助具４００について説明する。図１４は、この発明の実施形態４にかかるネイル除去補助具の斜視図である。
【００６５】  このネイル除去補助具４００は、指が載置できる大きさであって平らな形状の底面４８、前記底面４８の長手方向の辺の両側に設けられた右カバー４４及び左カバー４３、前記底面４８の短手方向の端に設けられた先端カバー４７を備えている。底面４８の短手方向の辺であって先端カバー４７が設けられた辺とは反対側の辺近傍には、指の直径と略同じ又は指の直径より少し大きい直径の断面がＣ字形状の保持部４１を備えている。右カバー４４と左カバー４３の端縁近傍には係止部４５、４６が２つずつ設けられ、係止部４５と係止部４６とは互いに係止可能となっている。係止部４５と係止部４６とを係止すると、底面４８と、右カバー４４及び左カバー４３とが、指の形状に略相違する形状の内部空間を形成可能する。ネイルリムーバー液保持体として、本発明の実施の形態４では、ネイルリムーバー液を含浸させたコットンＣを使用する。ネイルリムーバー液保持体は、ネイルリムーバー液を含浸させたガーゼその他の柔らかい布でもよい。
【００６６】  図１４に示すように、ネイル除去補助具４００の右カバー４４及び左カバー４３は、シート形状であって、略長方形状の底面４８の長手方向の辺から両側に翼のように設けられ、底面４８と一体的に形成されている。右カバー４４の長手方向の辺の長さは底面４８の長手方向の長さと略同じである。短手方向の長さは、底面４８の短手方向の長さと略同じかすこし長めである。右カバー４４の大きさは、指の側面下端から側面上端を経由し、指の上面までを覆うことのできる長さである。左カバー４３は、底面４８を挟んで右カバー４４と左右対称に設けられている。
【００６７】  先端カバー４７は、略長方形状の底面４８の短手方向の一辺に設けられ、指の爪をすっぽり覆う大きさの楕円形状のシートであって、上側の一辺が底面４８に接着されている。先端カバー４７は、底面４８と一体的に形成しても良い。底面４８、右カバー４４、左カバー４３は、柔らかく弾性をもったシリコン素材からなり、右カバー４４、左カバー４３は、底面４８に対し垂直の角度まで容易に曲げることができる。先端カバー４７の裏側には、ネイルリムーバー液が含浸されたコットンCが接することになるので、先端カバー４７の裏側に、溝または凹凸をつけて、ネイルリムーバー液が含浸されたコットンＣのズレを防いでも良い。
【００６８】  右カバー４４及び左カバー４３は、底面４８と一体的に形成するほか、底面４８の長手方向の辺に、接続具その他で回転可能に取り付けても良い。右カバー４４、左カバー４３を、接続具で底面４８に対し回転可能に取り付ける場合は、右カバー４４、左カバー４３及び底面４８の素材は、プラスチック等、硬めの素材で形成しても良い。
【００６９】  ネイル除去補助具４００の底面４８の短手方向の一辺であって、先端カバー４７が設けられている辺とは対向する辺の近傍には保持部４１が設けられている。保持部４１は、断面が、指の直径と略同じか、すこし大きな直径を有するＣ字形状である。保持部４１の素材は、底面４８と一体成形する場合はシリコン素材とする。保持部４１を、底面４８とは別に成形し底面４８に接着する場合は、プラスチック等ある程度の硬さと、弾性とを有する素材を用いても良い。保持部４１は、Ｃ字形状の先端部分は薄く、底面４８に接する根元部分は厚くなっている。先端部分が薄いことによって、先端が左右に開きやすく、根元部分が厚いことで、保持部４１の強度を担保できる。
【００７０】  保持部４１で指を固定する際は、まず、保持部４１のＣ字形状の両端を手で持って外側に広げて大きく開口させて、Ｃ字形状の内側に指を差し入れる。そのあと、Ｃ字形状の両端を持っていた手を離すと、保持部４１の両端が、指を挟んで固定する。保持部４１は、本実施の形態では、輪の一部が欠けた形状、すなわち断面がＣ字形状としてあるが、保持部４１の形状は断面がＣ字形状に限定されない。指を上に載せる窪みを供えた凹部でも良いし、輪状のリングでも良いし、二本の帯状物を底面４８の左右に取り付け互いに結束可能として指を固定できるようにしても良い。
【００７１】  ネイル除去補助具４００の右カバー４４、左カバー４３及び先端カバー４７は、柔らかく弾性を有する素材であるので、底面４８に対して垂直な角度まで、容易に曲げることができる。右カバー４４と左カバー４３の先端には、係止部４５、４６が２つずつ設けられており、係止部４５と係止部４６に互いに係止すると、内側に指の大きさと略相似する内部空間を形成する。係止部４５、４６は、互いに係止可能であれば、突起と穴の組み合わせからなる係止部としても良いし、スナップボタンでも良いし、ボタンとボタンホールの組み合わせからなる係止部としても良い。磁石を取り付けて、留め合わせるようにしてもよい。また、係止部４５、４６の数は、本実施の形態では２組であるが、３組以上に増やして設けても良いし、１組のみでも良い。
【００７２】次に、図１５から図１８を示しながら、本実施形態４のネイル除去補助具４００の使用方法を説明する。図１５から図１８は、図１４に示したネイル除去補助具の使用方法を示す参考図である。
【００７３】  まず、最初に、図１５に示すように、ユーザは、ネイル除去補助具４００の右カバー４４、左カバー４３及び先端カバー４７を開いて、底面４８に、爪にネイルが施された指の腹面が接するように指を載置し、保持部４１で指を両側から挟んで固定する。そのあと、ネイルリムーバー液を含浸させたコットンＣを、ネイルの施術された爪の上に載置する。
【００７４】  次に、図１６に示すようにネイルリムーバー液を含浸させたコットンＣをネイルが施術された爪の上に、そっと載置する。ネイルリムーバー液を含浸させたコットンＣは、爪と略同じか、すこし大きめサイズのものが良い。そのあと、図１７に示すように、上側にめくりあげておいた先端カバー４７の位置を戻し、ネイルリムーバー液を含浸させたコットンＣの上に先端カバー４７を載置する。そして、図１８のように、先端カバー４７の上から、右カバー４４及び左カバー４３を被せるようにして係止部４５及び４６を互いに係止する。これにより、底面４８と先端カバー４７の間に、ネイルを施された爪の指と、ネイルリムーバー液を含浸させたコットンＣが一体的に、しっかり固定される。ネイルリムーバー液を含浸させたコットンＣの位置が、ネイルが施された爪の上からズレず、ネイルを施された爪に、ネイルリムーバー液が、しっかりと浸透する。
【００７５】（実施の形態５）  次に、図１９から図２４を示しながら、実施の形態５のネイル除去補助具５００について説明する。図１９は、この発明にかかる実施形態５にかかるネイル除去補助具の斜視図である。図２０は、図１９に示したネイル除去補助具の先端カバーを開いた状態を示す斜視図である。
【００７６】  図１９に示すように、このネイル除去補助具５００は、底面５８、右カバー５４、左カバー５３、先端カバー５７ａ及び５７ｂ及び保持部５１を主に有する。底面５８は、指が載置できる大きさの略長方形のシリコンシートからなる。右カバー５４及び左カバー５３は、前記底面５８の長手方向の辺の両側に設けられている。先端カバー５７ａ及び５７ｂは、前記底面５８の短手方向の一辺と長手方向の一辺の上部にそれぞれ設けられている。保持部５１は、底面５８の短手方向の辺であって先端カバー５７ａ、５７ｂが設けられた辺とは反対側の辺近傍に設けられており、断面が、指の直径と略同じ又は指の直径より少し大きい直径のＣ字形状である。ネイルリムーバー液保持体として、本発明の実施の形態５では、ネイルリムーバー液を含浸させたコットンＣを使用する。ネイルリムーバー液保持体は、ネイルリムーバー液を含浸させたガーゼその他の柔らかい布でもよい。
【００７７】右カバー５４と左カバー５３の端縁近傍には係止部５５、５６が、それぞれ３つずつ設けられ、係止部５５と係止部５６とは互いに対応しており係止可能である。係止部５５と係止部５６とを全て係止すると、底面５８と、右カバー５４及び左カバー５３とが、指の形状に略相違する形状の内部空間を形成する。
【００７８】  ネイル除去補助具５００の右カバー５４及び左カバー５３は、指が載置できる大きさの平面である底面５８の長手方向の辺から両側に広がるよう設けられ、底面５８と一体成形されている。右カバー５４の短手方向の長さは、シート形状であって、底面５８と一体に設けられ、指の側面下端から側面上端を経由し、指の上面までを覆う長さを備えている。右カバー５４の長手方向の辺の長さは底面５８の長手方向の長さと略同じである。左カバー５３は、底面５８を挟んで反対側の辺に、右カバー５４と略左右対称に設けられており、同じように、底面５８と一体成形されている。
【００７９】  図２０に示すように、先端カバー５７ａは、底面５８の長手方向の辺であって、左カバー５３と接している側の辺の上方に、接続され設けられており、ネイルリムーバー液を含浸させたコットンＣを上から覆い被せられる程度の大きさを備えている。先端カバー５７ｂは、底面５８の短手方向の辺であって、保持部５１が設けられた辺とは対向する辺に設けられ、ネイルリムーバー液を含浸させたコットンＣの少なくとも上半分を覆える大きさとなっており、先端カバー５７ａの下に重ねるようにして使用する。
【００８０】  先端カバー５７ａ及び５７ｂは、底面５８又は左カバー５３の一辺に接着することによって設けても良いし、底面５８や左カバー５３と一体的に形成しても良い。先端カバー５７ａ、５７ｂ、底面５８、右カバー５４、左カバー５３は、柔らかく、弾力性を持ったシリコン素材からなり、容易に曲げることができる。先端カバー５７ａ、５７ｂの裏側には、凹凸または溝を設けると、ネイルリムーバー液含浸させたコットンＣの位置ずれが、より生じにくくなる。２枚の先端カバー５７ａ、５７ｂは、それぞれ別の方向から、ネイルリムーバー液を含浸させたコットンＣをおさえるため、位置ずれ防止効果を相乗的に高める効果がある。さらに、ネイルリムーバー液が、右カバー５４と左カバー５３との間隙から外に浸みだしてしまうことを防止する効果もある。
【００８１】  右カバー５４及び左カバー５３は、底面５８と一体的に形成するほか、底面５８の長手方向の辺に回転可能に接続具その他で取り付けても良い。右カバー５４、左カバー５３を、接続具で底面５８に対し回転可能に取り付ける場合は、右カバー５４、左カバー５３及び底面５８の素材は、プラスチック等、硬めの素材で形成すると良い。
【００８２】  ネイル除去補助具５００の底面５８の下部、先端カバー５７ｂが設けられている側とは対向する側に、保持部５１が設けられている。保持部５１は、指の直径と略同じか、すこし大きな直径を有する断面がＣ字形状である。保持部５１の素材は、弾力性を有するシリコン素材からでも良いし、プラスチック等ある程度の硬さと弾性とを有する素材でも良い。
【００８３】  保持部５１で指を固定する際は、まず、保持部５１のＣ字の両端を手で持ち外側に広げて大きく開口させて、Ｃ字形状の内部に指を差し入れる。そのあと、両端を持っていた手を離すと、保持部５１の両端が、指を挟んで固定する。保持部５１は、本実施の形態では、輪の一部が欠けた形状、すなわちＣ字形状のリングを用いてあるが、保持部５１の形状はＣ字形状に限定されない。指を上に載せる窪みを供えた凹部でも良いし、輪状のリングでも良いし、帯状物を底面５８の左右に取り付けて互いに結束して指を固定できるようにしても良い。
【００８４】  ネイル除去補助具５００の右カバー５４、左カバー５３及び先端カバー５７ａ、５７ｂは、柔らかく弾性を有する素材であるので、底面５８に対して垂直な角度まで、曲げることができる。右カバー５４と左カバー５３の先端には、係止部５５、５６が３つずつ設けられており、係止部５５と係止部５６とを係止すると、底面５８と、右カバー５４及び左カバー５３との間に、指の大きさと略相似する形状の内部空間を形成する。係止部５５、５６は、互いに着脱可能であれば、突起状の係止部と孔でも良いし、スナップボタンでも良いし、ボタンとボタンホールでも良い。また、係止部５５、５６の数は、本実施の形態ではそれぞれ３個ずつ、すなわち３組であるが、３組以上に係止部を増やしても良いし、１組のみとしても良い。
【００８５】次に、図２１から図２４を示しながら、本実施形態５のネイル除去補助具５００の使用方法を説明する。図２１から図２４は、図１９に示したネイル除去補助具の使用方法を示す参考図である。
【００８６】  まず、最初に、図２１に示すように、ユーザは、ネイル除去補助具５００の右カバー５４、左カバー５３、先端カバー５７ａ及び５７ｂを開いておく。そして、底面５８に、爪にネイルが施された指の腹面が接するように指を載置し、保持部５１で指を両側から挟み固定する。そのあと、ネイルリムーバー液を含浸させたコットンＣを、ネイルの施術された爪の上に載置する。
【００８７】  次に、図２２に示すように爪を覆うように、ネイルリムーバー液を含浸させたコットンＣをネイルが施術された爪の上に、そっと載置する。ネイルリムーバー液を含浸させたコットンＣは、爪と略同じか、すこし大きめのものとすると良い。そのあと、図２３に示すように、上側にめくりあげておいた先端カバー５７ｂを、まず、ネイルリムーバー液を含浸させたコットンＣの上に載置し、そのうえから、先端カバー５７ｂに被せるように、先端カバー５７ａを重ねる。先端カバー５７ａと先端カバー５７ｂによって、ネイルリムーバー液を含浸させたコットンＣは、ネイルを施術された爪の上に、位置ずれせず、しっかりと固定される。
【００８８】  そのあと、図２４のように、先端カバー５７ｂの上から、右カバー５４及び左カバー５３を被せるようにして係止部５５及び５６を互いに留め合わせる。これにより、底面５８、先端カバー５７ａ及び５７ｂとで、ネイルを施された爪の指と、ネイルリムーバー液を含浸させたコットンＣを、包み込んで強固に固定できる。ネイルリムーバー液を含浸させたコットンＣの位置が、ネイルの施された爪の上からズレないので、ネイルを施された爪に、ネイルリムーバー液が、しっかりと浸透する。
【００８９】（実施の形態６）次に、図２５から図２８を示しながら、実施の形態６のネイル除去補助具６００について説明する。図２５は、この発明にかかる実施形態６にかかるネイル除去補助具の斜視図である。ネイルリムーバー液保持体として、本発明の実施の形態６では、ネイルリムーバー液を含浸させたコットンＣを使用する。ネイルリムーバー液保持体は、ネイルリムーバー液を含浸させたガーゼその他の柔らかい布でもよい。
【００９０】  図２５に示すように、このネイル除去補助具６００は、指の少なくとも第一関節より先が挿入可能な内部空間を有する袋形状の指カバー６３を有し、指を指カバー６３に挿入した際に、爪にあたる部分には開口が設けられている。指カバー６３は、少なくとも指の第一関節より先を覆う大きさを備えている。指カバー６３の開口の縁には、開口を覆うことができる大きさの先端蓋６７を有する。先端蓋６７は、一辺が指カバー６３と接続されており、開閉可能となっている。先端蓋６７には、係止部穴６６が設けられており、前記指カバー６３には係止部穴６６に嵌められる大きさの係止部突起６５が設けられていて、係止部突起６５を係止部穴６６に嵌めると、前記先端蓋６７が指カバー６３の開口を塞ぐことができる。
【００９１】  指カバー６３及び先端蓋６７は、シリコン、ゴム素材その他の、柔らかく、弾力性を持った素材からなる。プラスチックや樹脂等、ある程度の硬度をもった素材を用いても良い。係止部突起６５は、先端蓋６７と一体的に作成しても良いし、プラスチックや金属の金具を接着して作成しても良い。指カバー６３と先端蓋６７は、シリコンやゴム素材等のやわかかい素材を用いるときは一体成型するが、プラスチック等ある程度の硬度をもった素材で作成する際は、指カバー６３と先端蓋６７は別々に成形すると良い。先端蓋６７を、指カバー６３に設けられた開口部の脇に、接続具で回転可能に取り付けて、先端蓋６７が開閉可能な構造とする。
【００９２】  先端蓋６７の裏側には、凹凸をつけるか、または溝が複数設けられている。先端蓋６７の裏面には、ネイルリムーバー液の含浸したコットンCがあたるため、先端蓋６７の裏に凹凸や溝を設けることにより、ネイルリムーバー液の含浸したコットンCが位置ずれしにくくなる。
【００９３】次に、ネイル除去補助具６００の使用方法について説明する。図２６から図２８は、図２５に示したネイル除去補助具６００の使用方法を示す参考図である。
【００９４】  まず、最初に、図２６に示すように、ユーザは、ネイルの施術された爪の指を、ネイル除去補助具６００の指カバー６３の中に挿入する。指を挿入する際、先端蓋６７の設けられた側に指の爪側がくるような向きで挿入する。指カバー６３の奥に指の先端があたるところまで指を挿入した状態、先端蓋６７を開けると、指カバー６３の開口部分から、ネイルの施術された爪が露出する。ユーザは、爪が覆える大きさのネイルリムーバー液を含浸させたコットンＣを、指カバー６３の開口部分から中に押し入れて、爪を覆い隠すように載置する。
【００９５】  ネイルリムーバー液を含浸させたコットンＣが、指カバー６３の開口の中にすっぽりと入ったら、次に、図２７に示すように、先端蓋６７を閉じて、指カバー６３に設けられた係止部突起６５を、先端蓋６７に設けられた係止部穴６６に嵌めて係止する。図２８に示すように、指カバー６３は、袋形状となっているため、ネイルリムーバー液を含浸させたコットンＣからネイルリムーバー液が漏出してもネイル除去補助具６００の外側まで漏れ出すことがない。また、先端蓋６７を閉じれば、ネイルリムーバー液を含侵させたコットンＣをネイル除去補助具６００の内部に閉じ込めることができるので、ネイルリムーバー液が揮発しにくく、ネイルリムーバー液を、効率良く、ネイルを施された爪に浸み込ませることができる。
【００９６】（実施の形態７）  図２９は、この発明の実施形態７にかかるネイル除去補助具７００の斜視図であって、図３０は、図２９に示したネイル除去補助具７００の平面図である。図３１は、図２９に示したネイル除去補助具７００の右側面図であり、図３２は、図２９に示したネイル除去補助具７００の左側面図である。図３３は、図２９に示したネイル除去補助具７００の背面図であって、図３４は、図２９に示したネイル除去補助具７００の正面図である。図３５は、図２９に示したネイル除去補助具７００の底面図である。ネイルリムーバー液保持体として、本発明の実施の形態７では、ネイルリムーバー液を含浸させたコットンＣを使用する。ネイルリムーバー液保持体は、ネイルリムーバー液を含浸させたガーゼその他の柔らかい布でもよい。
【００９７】  図２９に示すように、このネイル除去補助具７００は、指が載置できる平らな底面７８、前記底面７８の両側に設けられた右カバー７４及び左カバー７３、前記底面７８の先端に設けられた先端カバー７７を備えている。右カバー７４と左カバー７３には、それぞれ、直線状の土手形状である凸部７３ａ及び７４ａが並列して複数設けられている。右カバー７４及び左カバー７３の裏面にも、同じように、直線状の土手形状である凸部７３ａ及び７４ａが並列して複数設けられている。先端カバー７７を内側に折って、その上に重ねるように左カバー７３及び右カバー７４を重ね、右カバー７４裏面の凸部７４ａを、左カバー７３表面の７３ａの凸部と凸部の間の溝に、嵌めると、互いに係止可能である。また、右カバー７４の上に左カバー７３を重ねて、左カバー７３裏面の凸部７３ａを、右カバー７４表面の７４ａの凸部と凸部の間の溝に、嵌めるても、互いに係止可能である。右カバー７４と左カバー７３を重ねて、前述のように互いの凸部７３ａ及び７４ａを他方の凸部間の溝に嵌め係止すると、底面７８と、右カバー７４及び左カバー７３とで、指の形状に略相違する形状の内部空間を形成する。
【００９８】  図３０に示すように、ネイル除去補助具７００の右カバー７４及び左カバー７３は、略長方形状の底面７８の長手方向の辺から両側に、底面７８と一体的に形成されている。底面７８の長手方向の長さは３センチメートルから１０センチメートルの間であり、最適な長さは、５センチメートルから８センチメートルである。底面７８には、ネイルを施術した爪の指の腹側を載置する。ネイル除去補助具７００は、親指から小指まで全ての指に装着する必要があり、底面７８が長すぎると爪部分をうまく固定することができず、短すぎるとネイル除去補助具７００が指から抜け落ちやすい。底面７８の長さは、底面７８に中指を載置したときに中指の指先から第二関節までが載置できる程度の長さとしておくと、親指から小指までどの指にも装着できる使い勝手の良い寸法のネイル除去補助具７００とすることができる。
【００９９】  底面７８の短手方向の長さは、１センチメートルから５センチメートルの間が良く、２センチメートルから４センチメートルが最適である。底面７８の短手方向の長さは、標準的なサイズの大人の指の直径と略同じか、すこし長めとすると、どの指にも装着しやすい寸法のネイル除去補助具とすることができる。ネイル除去補助具７００は、ネイルリムーバー液を含浸させたコットンＣと一緒に使用するので、太い指、親指等に装着する際は、コットンを少なめにしてネイルリムーバー液を含浸させたコットンＣを薄くすると良い。また、小指等の細い指に装着する際は、コットンを多めにして、ネイルリムーバー液を含浸させたコットンＣを厚くして、ネイル除去補助具７００が指にフィットするように調整して使用すると良い。
【０１００】  右カバー７４は、シート形状であって、角の丸い略長方形または楕円形に近い形状であり、右カバー７４の長手方向の長さは、底面７８と略同じ長さである。右カバー７４の長手方向の辺であって底面７８と接している側の辺は、底面７８と同じ長さであって、底面７８と一体的に設けられている。右カバー７４の短手方向の辺は、底面７８に指を載せたときに、指の側面下端から指の側面上端を経由し少なくとも指の上面中央近傍付近まで延出した長さとなっている。右カバー７４の長さは、底面７８に指を乗せたときに指の側面下端から指の側面上端を経由し、指の上面を覆う長さ、または、それ以上の長さがあっても良い。指の太い人用には、右カバー７４の短手方向の辺の長さを長めにすると良い。指の細い人等で、右カバー７４の短手方向の辺の長さが長すぎるときは、ネイルリムーバー液を含浸させたコットンCの量を増量して、指と右カバー７４との間隙が開き過ぎないように調整すると良い。
【０１０１】左カバー７３は、底面７８の長手方向の辺であって右カバー７４が設けられている辺と対向する辺に、右カバー７４に設けられている。左カバー７３の短手方向の辺の長さは、右カバー７４の短手方向の長さと同じ長さであり、右カバー７４と左右対称である。左カバー７３及び右カバー７４の短手方向の辺の長さを長くすると、右カバー７４と左カバー７３の先端を指の上面で重ねたあわせたとき、重なる部分が多くなる。すなわち、重なり部分の量を調整することで、どのような太さの指にも装着可能なネイル除去補助具７００とすることができる。
【０１０２】右カバー７４の右カバー７４の長手方向の辺であって底面７８と接していない側の辺は、底面７８と略同じ長さであり、両端の角（短手方向の辺との間に形成する角）は、丸みを帯びている。左カバー７３は、底面７８を挟んで右カバー７４と左右対称に設けられている。左カバー７３、右カバー７４及び底面７８は、一体となっていて、底面７８の両側に底面７８と略同じ大きさの楕円形または角の丸い長方形状のシートが連なっているような形状となっている。
【０１０３】右カバー７４及び左カバー７３には、それぞれ、直線形状の細長い長方形状の凸部である凸部７３ａ及び凸部７４ａが設けられている。凸部７３ａ及び凸部７４ａは、上面の長方形状の短辺の長さと、略同じ間隔をあけて、複数、並列して設けられている。凸部７３ａ及び凸部７４ａは、右カバー７４及び左カバー７３の表面だけでなく、裏面にも同じように設けられている。左カバー７３に設けられた凸部７３ａは、右カバー７４に設けられた凸部７３ａ同士の間の溝に嵌まって、互いに係止できるようになっている。
【０１０４】図３１及び図３２に示すように、先端カバー７７は、底面７８の短手方向の一辺に設けられ、底面７８に指の腹面を載置したときの指先側方向に設けられており、底面７８と一体的に形成された平らな面である。先端カバー７７は、底面７８に指の腹面を載置した際に、内側に折り返して爪を覆う程度の大きさを有する。先端カバー７７の裏側には溝７７ａが設けられている。先端カバー７７を内側に折り曲げた際、溝７７ａのところで先端カバー７７が柔らかく折れるので先端カバー７７が爪の形にフィットしやすい。また、先端カバー７７が設けられたことで、底面７８に指を載置する最に、指の位置決めが容易である。
【０１０５】先端カバー７７が設けられたことで、ネイルリムーバー液を含浸させたコットンＣを爪の上に載せた状態の指を、先端カバー７７、右カバー７４及び左カバー７３とで包み込み、指先を隙間なく覆うことができる。したがって、ネイルリムーバー液が揮発するのを防ぐ。また、ネイルリムーバー液を含浸させたコットンＣが位置ずれしにくく、効率よく、ネイルリムーバー液を、ネイルが施術された爪に浸透させることができる。
【０１０６】  底面７８、先端カバー７７、右カバー７４及び左カバー７３は、柔らかく弾性を有するシート形状のシリコン素材からなる。先端カバー７７、右カバー７４及び左カバー７３は、底面７８に対し垂直の角度まで容易に曲げることができる。底面７８、先端カバー７７、右カバー７４及び左カバー７３は、ゴム素材で形成しても良い。先端カバー７７には、爪があたる面に凹凸や溝を設けても良い。
【０１０７】先端カバー７７、右カバー７４及び左カバー７３は、底面７８と一体的に形成するほか、底面７８の長手方向の辺に、接続具その他で回転可能に取り付けても良い。先端カバー７７、右カバー７４、左カバー７３を、接続具で底面７８に対し回転可能に取り付ける場合は、先端カバー７７、右カバー７４、左カバー７３及び底面７８の素材は、プラスチック等、硬めの素材で形成しても良い。
【０１０８】  図３３及び図３４に示すように、右カバー７４及び左カバー７３には、表裏両面に、凸部７３ａ及び凸部７４ａが設けられている。また、凸部７３ａ及び７４ａは、断面視、鉤型となっていて、互いに係止しやすくなっている。
【０１０９】  ネイル除去補助具７００の右カバー７４、左カバー７３及び先端カバー７７は、底面７８に対して垂直な角度まで、曲げることができる。右カバー７４と左カバー７３には、凸部７４ａ及び７３ａが設けられており、相互に係止すると、内側に指の大きさと略相似する形状の内部空間を形成する。
【０１１０】  図３５に示すように、底面７８の裏側には溝７５が複数設けられている。溝７５が設けられたことで、ネイル除去補助具７００が指のカーブに沿ってフィットし、指に巻きつけやすい。また、本実施の形態では、凸部７４ａ及び７３ａは、細長い長方形状の凸部であり、複数、並列に設けられていて、凸部７４ａ及び７３ａは互いに、嵌めあわせて係止可能となっている。凸部７４ａ及び７３ａの位置をあわせて、上から指で押圧すれば、凸部７４ａと隣接する凸部７４ａとの間隙の溝に、凸部７３ａが嵌まるので、片手で簡単に係止することができる。
【０１１１】また、凸部７４ａ及び７３ａが断面視、鉤型になっている（換言すると、凸部７４ａ及び７３ａの上面が、右カバー７４及び左カバー７３と接している下面より大きな面積となっている）ことは、次の効果も有する。すなわち、凸部７４ａが凸部７３ａの溝に嵌ったあとは、逆方向の力（溝から外れる方向の力）がかかっても溝から外れにくい。したがって、ネイルリムーバー液を含浸させたコットンＣとネイルを施術した爪の指とを、しっかりと包み込んで固定することができる。凸部７４ａ及び７３ａは、互いに着脱可能でき、簡単に嵌められ外れにくい構造であれば、細長い長方形状の凸部に限定されず、他の着脱材でも良い。スナップでも良いし、ボタンとボタンホールでも良いし、凹部と、凹部に対応した突起でも良い。また、磁石を取り付けて、留め合わせるようにしてもよい。
【０１１２】  次に、図３６から図３８を示しながら、本実施形態７のネイル除去補助具７００の使用方法を説明する。図３６から図３８は、図２９に示したネイル除去補助具７００の使用方法を説明するための参考図である。
【０１１３】  まず、最初に、図３６に示すように、ユーザは、ネイル除去補助具７００の右カバー７４、左カバー７３を左右に広げた状態で、底面７８に、爪にネイルが施された指の腹面が接するように指を載置する。そのあと、ネイルリムーバー液を含浸させたコットンＣを、ネイルの施術された爪の上に載置する。爪を覆うようにネイルリムーバー液を含浸させたコットンＣを載置したら、図３７に示すように、先端カバー７７を爪とネイルリムーバー液を含浸させたコットンＣを上から押さえるようにする。それから、図３８（ａ）のように、右カバー７４を、内側に折り返し、指を包み込んで、左カバー７３を右カバー７４の上から被せるようにする。右カバー７４の凸部７４ａと凸部７４ａとの間隙の溝に、左カバー７３の凸部７３ａをあてがって、上から押さえて嵌め込むと、互いに係止することができる。このように、指がしっかりと固定すると、ネイルリムーバー液を含浸させたコットンＣの位置が、ネイルの施された爪の上からズレることがなく、ネイルを施された爪に、ネイルリムーバー液が、しっかりと浸透する。
【０１１４】  ネイル除去補助具７００は、図３８（ｂ）のように、左カバー７３を先に折り返し、右カバー７４を左カバー７３の上に被せるように、図３８（ａ）とは逆向きに巻いて使用することもできる。右カバー７４及び左カバー７３の表裏両面に凸部７３ａ及び７４ａが設けられているため、各自の好み、利き手に合わせて、右巻きにしても、左巻きにしても使用可能となっている。
【０１１５】（実施の形態８）  次に、図３９から図４８を示しながら、実施の形態８のネイル除去補助具８００について説明する。図３９は、この発明の実施形態８にかかるネイル除去補助具８００の斜視図である。図４０は、図３９に示したネイル除去補助具８００の平面図であって、図４１は、図３９に示したネイル除去補助具８００の右側面図である。図４２は、図３９に示したネイル除去補助具８００の左側面図であって、図４３は、図３９に示したネイル除去補助具８００の背面図である。図４４は、図３９に示したネイル除去補助具８００の正面図であって、図４５は、図３９に示したネイル除去補助具８００の底面図である。ネイルリムーバー液保持体として、本発明の実施の形態８では、ネイルリムーバー液を含浸させたコットンＣを使用する。ネイルリムーバー液保持体は、ネイルリムーバー液を含浸させたガーゼその他の柔らかい布でもよい。
【０１１６】  図３９に示すように、このネイル除去補助具８００は、指が載置でき、中央が凹んだ形状の底面８８、前記底面８８の両側に設けられた右カバー８４及び左カバー８３、前記底面８８の短手方向の端近傍に設けられた先端カバー８７を備えている。右カバー８４と左カバー８３の先端にはキノコ形係止部８５及び孔８６が設けられ互いに係止可能となっている。右カバー８４の先端の孔８６と左カバー８３のキノコ形係止部８５を係止すると、底面８８と、右カバー８４及び左カバー８３とで、指の形状に略相違する形状の内部空間を形成する。
【０１１７】ネイル除去補助具８００の右カバー８４及び左カバー８３は、底面９８の両側に設けられている。平らな底面８８の長手方向の辺から両側に、底面８８と一体的に形成されている。底面８８は、頂点が丸い三角形状であって中央近傍が窪んだ形状である。底面の三角形の高さは３センチメートルから８０センチメートルの間であり、最適な長さは、５センチメートルから８センチメートルである。底面８８には、ネイルを施術した爪の指を載置する。ネイル除去補助具８００は、親指から小指まで全ての指に装着する必要があり、底面８８が長すぎると爪部分をうまく固定することができず、短すぎるとネイル除去補助具８００が指から抜け落ちやすい。底面８８の長さは、底面８８に中指を載置したときに中指の指先から第二関節までが載置できる程度の長さとしておくと、親指から小指までどの指にも装着できる使い勝手の良い寸法のネイル除去補助具８００とすることができる。
【０１１８】  底面８８の短手方向の長さは、標準的なサイズの大人の指の直径と略同じか、すこし長めとすると、どの指にも装着しやすい寸法のネイル除去補助具とすることができる。ネイル除去補助具８００は、ネイルリムーバー液を含浸させたコットンＣと一緒に使用するが、太い指、親指等に装着する際は、コットンを薄く少なめにするとよい。また、小指等の細い指に装着する際は、コットンを厚く多めにして、ネイル除去補助具８００が指にフィットするように調整すると良い。
【０１１９】  図４０に示すように、右カバー８４は、シート形状であって、底面８８の両側に左右対称に設けられている。底面８８、右カバー８４及び左カバー８３を平面に広げると、おにぎりのような形となっている。右カバー８４と左カバー８３は、底面８８の両側にあり、底面８８と一体である。右カバー８４の長さは、底面８８に指を乗せたときに指の側面下端から指の側面上端を経由し、指の上面を覆う長さ、または、それ以上の長さがあっても良い。指の太い人用には、右カバー８４の短手方向の辺の長さを長めにすると良い。指の細い人等で、右カバー８４の短手方向の辺の長さが長すぎるときは、ネイルリムーバー液を含浸させたコットンの量を増量して、指と右カバー８４との間隙が開き過ぎないように調整すると良い。
【０１２０】  左カバー８３は、底面８８をはさんで右カバー８４と左右対照に設けられている。右カバー８４には、キノコ形の突起であるキノコ形係止部８５が、左カバー８３にはキノコ形係止部８５の最大直径より少し小さい直径の孔８６が設けられており、キノコ形係止部８５は、孔８６に嵌めて互いに係止できるようになっている。
【０１２１】  先端カバー８７は、底面８８の先端近傍に設けられ、底面８８に対し、略垂直か又は、少し内側に傾いた状態で設けられている。先端カバー８７は、中央部分に直線状の頂部８７ａを有しており、左右端近傍に凹んだ端部８７ｂを有している。頂部８７ａは、先端カバー８７の下端から上端まで、床面に対し垂直に延びた直線状の頂部８７ａである。端部８７ｂは、頂部８７ａの横に設けられ、先端カバー８７の下端から上端まで延びている直線状の端部８７ｂであるが、端部８７ｂは、上にいくほど頂部８７ａと距離が離れる。つまり、左右の端部８７ｂは、Ｖ字を形成している。
【０１２２】先端カバー８７は、底面８８に指の腹面を載置して右カバー８４及び左カバー８３を折り曲げると、それに伴って内側に倒れ、爪の上面を覆うようになっている。先端カバー８７は、底面８８に指を載置した際に、指先端から爪下の指部分まで達するほど延出したものでも良い。先端カバー８７は、前記底面短手方向略中央に略直線的な頂部８７ａがあり、前記頂部ａの左側及び右側には斜面を有していて凹んだ端部８７ｂを有し、端部８７ｂから両端にかけては、上方に向かって斜面を有している。先端カバー８７に頂部８７ａ、凹んだ端部８７ｂが設けられていることで、先端カバー８７の下に、程よい空間が生じ、ネイルリムーバー液を含浸させたコットンＣを載せた爪の指のカーブにフィットして指全体を包み込むことができる。したがって、ネイルリムーバー液を含浸させたコットンＣが位置ずれしにくく、効率よく、ネイルリムーバー液を、ネイルが施された爪に浸透させることができる。
【０１２３】  底面８８、右カバー８４、左カバー８３、先端カバー８７は、柔らかく弾性を有するシート形状のシリコン素材からなる。右カバー８４、左カバー８３は、底面８８に対し垂直の角度まで容易に曲げることができる。底面８８、右カバー８４及び左カバー８３は、ゴム素材で形成しても良い。先端カバー８７の裏側には、溝または凹凸を設けても良い。先端カバー８７の裏側に溝または凹凸を設けることによって、ネイルリムーバー液が含浸されたコットンの位置ずれを防ぐ効果が期待できる。
【０１２４】  右カバー８４及び左カバー８３は、底面８８と一体的に形成するほか、底面８８両側に、接続具その他で回転可能に取り付けても良い。右カバー８４、左カバー８３を、接続具で底面８８に対し回転可能に取り付ける場合は、右カバー８４、左カバー８３及び底面８８の素材は、プラスチック等、硬めの素材で形成しても良い。
【０１２５】  図４０に示すように、先端カバー８７は、底面８８の先端近傍に、底面８８と一体的に形成されている。右カバー８４、左カバー８３は、底面８８の両側に左右対称に設けられ、右カバー８４、左カバー８３および底面８８を広げた形状は、おにぎり形または角のまるい台形形状である。
【０１２６】  図４１及び図４２に示すように、ネイル除去補助具８００の先端カバー８７は、底面８８に対して略垂直な角度に設けられている。先端カバー８７は、目視では垂直に見えるが、実際は、内側に倒れやすいよう約２度程度傾いている。先端カバー８７は、底面８８に対し垂直に設けても良いが、装着する際、先端カバー８７は、爪を覆うよう内側に倒す必要があるので、すこし内側に傾けて設けたほうが、良い。
【０１２７】図４３及び図４４に示すように、右カバー８４にはキノコ形係止部８５が、左カバー８３には、孔８６が設けられており、相互に係止すると、内側に指の大きさと略相似する形状の内部空間を形成する。本実施の形態では、キノコ形係止部８５は、キノコ形状の突起であり、孔８６は、キノコ形係止部８５の突起に対応した孔となっている。
【０１２８】キノコ形係止部８５と孔８６の位置をあわせて、両側から指で押圧すると、キノコ形係止部８５との突起が、孔８６に滑り込むので、片手で簡単に係止することができる。また、キノコ形係止部８５は、キノコ形状の突起であるので、一旦、孔８６に嵌ったあとは、キノコ形係止部８５に逆方向の力がかかってもキノコの傘部分が穴の縁にひっかかり穴から外れにくい。より外れにくくするため、キノコ形係止部８５のキノコの傘部分は、内側よりも外側のほうに突出して設けられている。キノコ形係止部８５のキノコの傘部分が外側に向けて鉤型に突出していることで、キノコ形係止部８５を孔８６に嵌めたときに、キノコ形係止部８５の突出した傘部分が、しっかりと孔８６に嵌り、孔８６からキノコ形係止部８５が外れにくくなっている。
【０１２９】  このようにして、ネイルリムーバー液を含浸させたコットンＣとネイルを施術した詰めの指とを、しっかりと包みみ込んで固定することができる。キノコ形係止部８５と孔８６は、互いに着脱可能でき、簡単に嵌められ外れにくい構造であれば、突起と孔に限定されず、他の着脱材でも良い。スナップでも良いし、ボタンとボタンホールでも良いし、凹部と、凹部に対応した突起でも良い。また、磁石を取り付けて、留め合わせるようにしてもよい。
【０１３０】  次に、図４６から図４８を示しながら、ネイル除去補助具８００の使用方法について説明する。図４６から図４８は、図３９に示したネイル除去補助具８００の使用方法を説明するための参考図である。
【０１３１】  まず、最初に、図４６に示すように、ユーザは、ネイル除去補助具８００の右カバー８４、左カバー８３及び先端カバー８７を開き、底面８８に、爪にネイルが施された指の腹面が接するように指を載置する。そのあと、ネイルリムーバー液を含浸させたコットンＣを、ネイルの施術された爪の上に載置する。爪を覆うようにネイルリムーバー液を含浸させたコットンＣを載置したら、図４７に示すように、右カバー８４と左カバー８３を内側に折り曲げて、指を挟みこむようにしていく。右カバー８４と左カバー８３を、折り曲げると、それに伴って先端カバー８７が内側に折り曲がり、ネイルリムーバー液を含浸させたコットンＣを上からおさえるようなる。さらに、図４８に示すように、先端カバー８７の上から、右カバー８４及び左カバー８３を被せるようにしてキノコ形係止部８５と孔８６を互いに係止する。これにより、底面８８と右カバー８４と左カバー８３との間に、指がしっかりと固定され、ネイルリムーバー液を含浸させたコットンＣの位置が、ネイルの施された爪の上からズレることがなく、ネイルを施された爪に、ネイルリムーバー液が、しっかりと浸透する。
【０１３２】（実施の形態９）  次に、図４９から図５８を示しながら、実施の形態９のネイル除去補助具９００について説明する。図４９は、この発明の実施形態９にかかるネイル除去補助具の斜視図である。図５０は、図４９に示したネイル除去補助具の平面図であって、図５１は、図４９に示したネイル除去補助具の右側面図である。図５２は、図４９に示したネイル除去補助具の左側面図であって、図５３は、図４９に示したネイル除去補助具の背面図である。図５４は、図４９に示したネイル除去補助具の正面図であって、図５５は、図４９に示したネイル除去補助具の底面図である。ネイルリムーバー液保持体として、本発明の実施の形態９では、ネイルリムーバー液を含浸させたコットンＣを使用する。ネイルリムーバー液保持体は、ネイルリムーバー液を含浸させたガーゼその他の柔らかい布でもよい。
【０１３３】  図４９に示すように、このネイル除去補助具９００は、指が載置でき、中央部分が凹んだ形状の底面９８、前記底面９８の両側に設けられた右カバー９４及び左カバー９３、前記底面９８の短手方向の端近傍に設けられた先端カバー９７を備えている。右カバー９４と左カバー９３の先端にはキノコ形係止部９５及び孔９６が設けられ互いに係止可能となっている。先端カバー９７を内側に折り込んだうえで右カバー９４の先端の孔９６と左カバー９３のキノコ形係止部９５を係止すると、底面９８と、右カバー９４及び左カバー９３とで、指の形状に略相違する形状の内部空間を形成する。
【０１３４】ネイル除去補助具９００の右カバー９４及び左カバー９３は、頂点が丸い三角形状であって中央近傍が窪んだ底面９８の両側に設けられている。底面９８の長手方向の長さは、３センチメートルから８０センチメートルの間であり、最適な長さは、５センチメートルから８センチメートルである。底面９８には、ネイルを施術した爪の指を載置する。ネイル除去補助具９００は、親指から小指まで全ての指に装着する必要があり、底面９８が長すぎると爪部分をうまく固定することができず、短すぎるとネイル除去補助具９００が指から抜け落ちやすい。底面９８の長さは、底面９８に中指を載置したときに中指の指先から第二関節までが載置できる程度の長さとしておくと、親指から小指までどの指にも装着できる使い勝手の良い寸法のネイル除去補助具９００とすることができる。
【０１３５】  底面９８の短手方向の長さは、底面９８の短手方向の長さは、標準的なサイズの大人の指の直径と略同じか、すこし長めとすると、どの指にも装着しやすい寸法のネイル除去補助具とすることができる。ネイル除去補助具９００は、ネイルリムーバー液を含浸させたコットンＣと一緒に使用するので、太い指、親指等に装着する際は、コットンを薄く少なめにするとよい。また、小指等の細い指に装着する際は、コットンを厚く多めにして、ネイル除去補助具９００が指にフィットするように調整すると良い。
【０１３６】図５０に示すように、右カバー９４及び左カバー９３は、シート形状であって、底面９８の両側に左右対称に設けられている。底面９８、右カバー９４及び左カバー９３を広げると、おにぎりのような形となっている。右カバー９４と左カバー９３は、底面９８の両側に左右対称に設けられていて、底面９８と一体である。右カバー９４の幅は、底面９８に指を乗せたときに指の側面下端から指の側面上端を経由し、指の上面を覆う寸法を少なくとも有する。それ以上の長さがあっても良い。指の太い人用には、右カバー９４の寸法を大きめにすると良い。指の細い人等で、右カバー９４の寸法が大きすぎるときは、ネイルリムーバー液を含浸させたコットンの量を増量して、指と左右のカバーとの間隙が開き過ぎないように調整すると良い。
【０１３７】  左カバー９３は、底面９８をはさんで右カバー９４と左右対称に設けられている。右カバー９４には、キノコ形の突起であるキノコ形係止部９５が、左カバー９３にはキノコ形係止部９５の最大直径より少し小さい直径の孔９６が設けられており、キノコ形係止部９５は、孔９６に嵌めて互いに係止できるようになっている。
【０１３８】  図５１及び図５２に示すように、底面９８は、窪んだ形状となっていて中央より下方が一番窪んだ部分となっている。先端カバー９７は、底面９８の先端に一体的に設けられている。図５３及び図５４に示すように、先端カバー９７は、略楕円形のシートである。底面９８に指の腹面を載置した状態で、先端カバー９７を内側に折り曲げると、先端カバー９７が、爪の上面を覆うようになっている。先端カバー９７は、底面９８に指を載置した際に、指先端から爪下の指部分まで達するほどの寸法としても良い。先端カバー９７は、シート形状で略楕円形なので、どのような大きさの指先にもフィットさせることができる。したがって、ネイルリムーバー液を含浸させたコットンＣが位置ずれしにくく、効率よく、ネイルリムーバー液を、ネイル  が施された爪に浸透させることができる。また、底面９８と一体的に平面で構成されているので、製造コストが安く済む。
【０１３９】  底面９８、右カバー９４、左カバー９３、先端カバー９７は、柔らかく弾性を有するシート形状のシリコン素材からなる。右カバー９４、左カバー９３及び先端カバー９７は、底面９８に対し垂直の角度まで容易に曲げることができる。底面９８、先端カバー９７、右カバー９４及び左カバー９３は、ゴム素材で形成しても良い。先端カバー９７の裏側には、溝または凹凸を設けても良い。先端カバー９７の裏側に溝または凹凸を設けることによって、ネイルリムーバー液が含浸されたコットンの位置ずれを防ぐ効果が期待できる。
【０１４０】  先端カバー９７、右カバー９４及び左カバー９３は、底面９８と一体的に形成するほか、底面９８の長手方向の辺に、接続具その他で回転可能に取り付けても良い。右カバー９４、左カバー９３または先端カバー９７を、接続具で底面９８に対し回転可能に取り付ける場合は、先端カバー９７、右カバー９４、左カバー９３及び底面９８の素材は、プラスチック等、硬めの素材としても良い。
【０１４１】  図５５に示すように、先端カバー９７は、底面９８の先端から、底面９８と一体的に形成されている。右カバー９４、左カバー９３は、底面９８の両側に左右対称に設けられ、右カバー９４、左カバー９３および底面９８を広げた形状は、おにぎり形または角のまるい台形形状である。
【０１４２】右カバー９４にはキノコ形係止部９５が、と左カバー９３には、孔９６が設けられており、相互に係止すると、内側に指の大きさと略相似する形状の内部空間を形成する。本実施の形態では、キノコ形係止部９５は、キノコ形状の突起であり、孔９６は、キノコ形係止部９５の突起に対応した孔となっている。キノコ形係止部９５と孔９６の位置をあわせて、両側から指で押圧すれば、キノコ形係止部９５との突起が、孔９６に滑り込んで嵌まるので片手で簡単に係止することができる。また、キノコ形係止部９５は、キノコ形状の突起であるので、一旦、孔９６に嵌ったあとは、キノコ形係止部９５に逆方向の力がかかってもキノコの傘部分が穴の縁にひっかかり穴から外れにくい。したがって、ネイルリムーバー液を含浸透させたコットンＣとネイルを施術した爪の指とを、しっかりと包み込んで固定することができる。キノコ形係止部９５と孔９６は、互いに着脱可能でき、簡単に嵌められ外れにくい構造であれば、突起と孔に限定されず、他の着脱材でも良い。スナップでも良いし、ボタンとボタンホールでも良いし、凹部と、凹部に対応した突起でも良い。また、磁石を取り付けて、留め合わせるようにしてもよい。
【０１４３】  次に、図５６から図５８を示しながら、ネイル除去補助具９００の使用方法について説明する。図５６から図５８は、図４９に示したネイル除去補助具の使用方法を説明するための参考図である。
【０１４４】  まず、最初に、図５６に示すように、ユーザは、ネイル除去補助具９００の右カバー９４、左カバー９３及び先端カバー９７を開き、底面９８に、爪にネイルが施された指の腹面が接するように指を載置する。そのあと、ネイルリムーバー液を含浸させたコットンＣを、ネイルの施術された爪の上に載置する。爪を覆うようにネイルリムーバー液を含浸させたコットンＣを載置したら、図５７に示すように、先端カバー９７を内側に折り曲げてコットンＣと爪を上からおさえる。そのうえで、右カバー９４と左カバー９３を内側に折り曲げて、指を挟みこむようにする。
【０１４５】図５８に示すように、先端カバー９７の上から、右カバー９４及び左カバー９３を被せるようにしてキノコ形係止部９５と孔９６を互いに係止する。これにより、底面９８と右カバー９４と左カバー９３との間に、指がしっかりと固定される。ネイルリムーバー液を含浸させたコットンＣの位置が、ネイルの施された爪の上からズレることがなく、ネイルを施された爪に、ネイルリムーバー液が、しっかりと浸透する。
【０１４６】（実施の形態１０）  図５９は、この発明の実施形態１０にかかるネイル除去補助具の斜視図である。図６０は、図５９に示したネイル除去補助具を別方向から見た状態を示す参考斜視図である。ネイルリムーバー液保持体として、本発明の実施の形態１０では、ネイルリムーバー液を含浸させたコットンＣを使用する。ネイルリムーバー液保持体は、ネイルリムーバー液を含浸させたガーゼその他の柔らかい布でもよい。
【０１４７】図５９に示すように、このネイル除去補助具１０００は、底面１０８、右カバー１０４、左カバー１０３及び先端カバー１０７を主に有する。底面１０８は、指が載置できる平らな略長方形状であり、右カバー１０４及び左カバー１０３は、底面１０８の長手方向の辺の両側に設けられている。先端カバー１０７は、底面１０８の短手方向の一端に設けられている。底面１０８の短手方向の辺であって先端カバー１０７が設けられた辺とは反対側の辺近傍には、指の直径と略同じ又は指の直径より少し大きい直径を有する、断面がＣ字形状の保持部１０１が設けられている。右カバー１０４と左カバー１０３の先端には係止部１０５、１０６が設けられ互いに係止可能となっている。右カバー１０４の先端の係止部１０６と左カバー１０３先端の係止部１０５を係止すると、底面１０８と、右カバー１０４及び左カバー１０３とで、指の形状に略相違する形状の内部空間を形成する。
【０１４８】ネイル除去補助具１０００の右カバー１０４及び左カバー１０３は、略長方形状の底面１０８の長手方向の辺から両側に、底面１０８と一体的に形成されている。底面１０８の長手方向の長さは３センチメートルから１０センチメートルの間であり、最適な長さは、５センチメートルから８センチメートルである。底面１０８には、ネイルを施術した爪の指を載置する。ネイル除去補助具１０００は、親指から小指まで全ての指に装着する必要があり、底面１０８が長すぎると爪部分をうまく固定することができず、短すぎるとネイル除去補助具１０００が指から抜け落ちやすい。底面１０８の長さは、底面１０８に中指を載置したときに中指の指先から第二関節までが載置できる程度の長さとしておくと、親指から小指までどの指にも装着できる使い勝手の良い寸法のネイル除去補助具１０００とすることができる。
【０１４９】  底面１０８の短手方向の長さは、１センチメートルから５センチメートルの間が良く、２センチメートルから４センチメートルが最適である。底面１０８の短手方向の長さは、標準的なサイズの大人の指の直径と略同じか、すこし長めとすると、どの指にも装着しやすい寸法のネイル除去補助具とすることができる。ネイル除去補助具１０００は、ネイルリムーバー液を含浸させたコットンＣと一緒に使用するので、太い指、親指等に装着する際は、コットンを薄く少なめにするとよい。また、小指等の細い指に装着する際は、コットンを厚く多めにして、ネイル除去補助具１０００が指にフィットするように調整すると良い。
【０１５０】  右カバー１０４は、シート形状であって、角の丸い略長方形または楕円形に近い形状であり、右カバー１０４の長手方向の長さは、底面１０８と略同じ長さである。右カバー１０４の長手方向の辺であって底面１０８と接している側の辺は、底面１０８と同じ長さであって、底面１０８と一体的に設けられている。右カバー１０４の短手方向の辺は、底面１０８に指を載せたときに、指の側面下端から指の側面上端を経由し少なくとも指の上面中央近傍付近まで延出した長さとなっている。右カバー１０４の長さは、底面１０８に指を乗せたときに指の側面下端から指の側面上端を経由し、指の上面を覆う長さ、または、それ以上の長さがあっても良い。指の太い人用には、右カバー１０４の短手方向の辺の長さを長めにすると良い。指の細い人等で、右カバー１０４の短手方向の辺の長さが長すぎるときは、ネイルリムーバー液を含浸させたコットンの量を増量して、指と右カバー１０４との間隙が開き過ぎないように調整すると良い。
【０１５１】左カバー１０３は、底面１０８の長手方向の辺であって右カバー１０４が設けられている辺と対向する辺に、右カバー１０４に設けられている。左カバー１０３の短手方向の辺の長さは、右カバー１０４の短手方向の長さと同じ長さとして右カバー１０４と左右対照になるようにしても良いし、右カバー１０４の短手方向の長さより長くしても良い。左カバー１０３の短手方向の辺の長さを長くすると、右カバー１０４と左カバー１０３の先端を指の上面で重ねたあわせたとき、重なる部分が多くなる。重なり部分の量を調整すれば、どのような太さの指にも装着可能なネイル除去補助具１０００とすることができる。
【０１５２】右カバー１０４の右カバー１０４の長手方向の辺であって底面１０８と接していない側の辺は、底面１０８と略同じ長さであり、両端の角（短手方向の辺との間に形成する角）は、丸みを帯びている。左カバー１０３は、底面１０８を挟んで右カバー１０４と左右対称に設けられている。左カバー１０３、右カバー１０４及び底面１０８を平面に広げてみると、底面１０８の両側に底面１０８と略同じ大きさの楕円形または角の丸い長方形状のシートが連なっているような形状となっている。
【０１５３】  先端カバー１０７は、略長方形状の底面１０８の短手方向の一辺に設けられ、底面１０８に指の腹面を載置したときの指先側方向に設けられており、底面１０８と一体的に形成されている。先端カバー１０７は、底面１０８に指の腹面を載置した際に、指先端から、少なくとも爪の中央近傍まで延出している。先端カバー１０７は、底面１０８に指を載置した際に、指先端から爪の下部まで達するほど延出したものでも良い。先端カバー１０７は、前記底面短手方向略中央に略直線的な頂部１０７ａがあり、前記頂部１０７ａの左側及び右側には斜面を有している。先端カバー１０７に頂部１０７ａが設けられていることで、先端カバー１０７の下に、程よい空間が生じ、ネイルリムーバー液を含浸させたコットンＣを載せた爪の指のカーブにフィットして指全体を包み込むことができる。したがって、ネイルリムーバー液を含浸させたコットンＣが位置ずれしにくく、効率よく、ネイルリムーバー液を、ネイルが施された爪に浸透させることができる。
【０１５４】底面１０８、右カバー１０４、左カバー１０３は、柔らかく弾性を有するシート形状のシリコン素材からなる。右カバー１０４、左カバー１０３は、底面１０８に対し垂直の角度まで容易に曲げることができる。底面１０８、右カバー１０４及び左カバー１０３は、ゴム素材で形成しても良い。先端カバー１０７の裏側には、溝または凹凸を設けても良い。先端カバー１０７の裏側に溝または凹凸を設けることによって、ネイルリムーバー液が含浸されたコットンの位置ずれを防ぐ効果が期待できる。
【０１５５】  右カバー１０４及び左カバー１０３は、底面１０８と一体的に形成するほか、底面１０８の長手方向の辺に、接続具その他で回転可能に取り付けても良い。右カバー１０４、左カバー１０３を、接続具で底面１０８に対し回転可能に取り付ける場合は、右カバー１０４、左カバー１０３及び底面１０８の素材は、プラスチック等、硬めの素材で形成しても良い。
【０１５６】  図６０に示すように、先端カバー１０７は、底面１０８の短手方向の辺から、底面１０８と一体的に形成されている。先端カバー１０７の下半分は、底面１０８と略同じ幅をもち、上半分は、上方にいくほど幅が狭くなっていく先細の形状となっている。先端カバー１０７の上側端縁のラインは、Ｖ字を逆さにした形状、すなわち、中央部分が上に突出した形状となっている。先端カバー１０７の先端中央の前記突出部分から先端カバー１０７の中央近傍まで、略直線的な頂部１０７ａが設けられている。この頂部１０７ａは、先端カバー１０７を中央部分で折って指でおさえることによって角度を鋭角にすることができる。先端カバー１０７は、柔らかく弾力性を有する素材からなり、底面１０８と接する辺を軸として内側に折り曲げることができる。
【０１５７】  先端カバー１０７は、頂部１０７ａを備えており、平らな面ではなく、中央部分が周囲より高くなっている。指の先端上面があたる部分に頂部１０７ａが設けられていることで、使用時に、ちょうど、指先端のカーブに沿い、自然にフィットするようになっている。また、ネイル除去補助具１０００を着脱する際、先端カバー１０７の先端の突出した部分をつまめるので先端カバー１０７の開閉が容易である。利き手の指の爪に施したネイルを自分で除去する場合は、利き手でないほうの手で、ネイル除去補助具１０００を着脱する必要があるが、先端カバー１０７の先端中央が突出しているので、利き手でない手でもつまみやすく、着脱が容易である。
【０１５８】  図６１（ａ）は、図５９に示したネイル除去補助具の右カバー１０４、左カバー１０３及び先端カバー１０７を底面に対して垂直に立てた状態を示す斜視図である。図６１（ｂ）は図５９に示したネイル除去補助具１０００の右カバー１０４、左カバー１０３及び先端カバー１０７を開いた状態を示す斜視図である。
【０１５９】  図６１（ａ）に示すように、ネイル除去補助具１０００の底面１０８の短手方向の一辺であって、先端カバー１０７が設けられている辺と対向する辺近傍には、保持部１０１が設けられている。保持部１０１は、断面が指の直径と略同じか、すこし大きな直径を有するＣ字形状であり、シリコンその他の弾性を有する素材からなる。プラスチックや樹脂その他の素材でも良い。保持部１０１は、Ｃ字形状の開口部分に指の腹面を押し当てて開口部分を押圧し、開口部分を開いて、内側へ指を滑り込ませ嵌め込んで指を固定する。保持部１０１の厚みは、Ｃ字形状の先端部分にいくほど薄くなっており、保持部１０１の根元部分（換言すると底面１０８と接している部分近傍）は厚くなっている。保持部１０１が、先端部分にいくほど薄くなっていることで左右に開きやすく、保持部１０の根元部分は厚くなっていることにより強度が担保された構造となっている。
【０１６０】  保持部１０１は、底面１０８や右カバー１０４及び左カバー１０３と同じ素材で一体成形する。保持部１０１は、底面１０８と一体成形するほか、別に作っておいた断面がＣ字形状の保持部１０１を、底面１０８に接着することによって形成しても良い。保持部１０１を底面１０８とは別に成形する場合は、保持部１０１の素材は、シリコンに限定されず、ゴム素材やプラスチック樹脂その他ある程度の硬度を有する素材で成形すると良い。
【０１６１】  保持部１０１は、弾性を有する素材からなり、保持部１０１の先端、すなわちＣ字形状の両端を持って外側に広げることができる。Ｃ字の内側に指を差し入れて、両端を持っていた手を離すと、保持部１０１の両端が、両側から指を挟み、指を固定することができる。保持部１０１は、本実施の形態１０では、輪の一部が欠けた形状、すなわち断面がＣ字形状のリングであるが、保持部１０１の形状は断面がＣ字形状の形態に限定されず、指を上に載せるだけの凹部でも良いし、輪状のリングを設けても良い。
【０１６２】  図６１（ｂ）に示すように、ネイル除去補助具１０００の右カバー１０４、左カバー１０３及び先端カバー１０７は、底面１０８に対して垂直な角度まで、曲げることができる。右カバー１０４と左カバー１０３の先端には、係止部１０５、１０６が設けられており、相互に係止すると、内側に指の大きさと略相似する形状の内部空間を形成する。本実施の形態では、係止部１０５は、キノコ形状の突起であり、係止部１０６は、係止部１０５の突起に対応した孔となっている。係止部１５と係止部１６の位置をあわせて、両側から指で押圧すれば、係止部１０５との突起が、係止部１０６の穴に滑り込んで嵌まるので片手で簡単に係止することができる。また、係止部１０５は、キノコ形状の突起であるので、一旦、係止部１６の穴に嵌ったあとは、係止部１０５に逆方向の力がかかってもキノコの傘部分が穴の縁にひっかかり穴から外れにくい。したがって、ネイルリムーバー液を含浸透させたコットンＣとネイルを施術した爪の指とを、しっかりと包み込んで固定することができる。係止部１０５、１０６は、互いに着脱可能でき、簡単に嵌められ外れにくい構造であれば、突起と孔に限定されず、他の着脱材でも良い。スナップでも良いし、ボタンとボタンホールでも良いし、凹部と、凹部に対応した突起でも良い。また、磁石を取り付けて、留め合わせるようにしてもよい。
【０１６３】  次に、図６２から図６４を示しながら、本実施形態１のネイル除去補助具１０００の使用方法を説明する。図６２及び図６３は、図５９に示したネイル除去補助具１０００の使用方法を説明する参考図であり、図６４は、図６３に示したネイル除去補助具１０００のＢ−Ｂ断面図である。
【０１６４】  まず、最初に、図６２に示すように、ユーザは、ネイル除去補助具１０００の右カバー１０４、左カバー１０３及び先端カバー１０７を開き、底面１０８に、爪にネイルが施された指の腹面が接するように指を載置し、保持部１０１で指を両側から挟み固定する。そのあと、ネイルリムーバー液を含浸させたコットンＣを、ネイルの施術された爪の上に載置する。爪を覆うようにネイルリムーバー液を含浸させたコットンＣを載置したら、図６３に示すように、先端カバー１０７を内側に折り返し、先端カバー１０７の先端中央の突出部分でネイルリムーバー液を含浸させたコットンＣを上からおさえる。それから、先端カバー１０７の上から、右カバー１０４及び左カバー１０３を被せるようにして係止部１０５及び１０６を互いに係止する。これにより、底面１０８と先端カバー１０７の間に、指がしっかりと固定され、ネイルリムーバー液を含浸させたコットンＣの位置が、ネイルの施された爪の上からずれることがなく、ネイルを施された爪に、ネイルリムーバー液が、しっかりと浸透する。
【０１６５】  図６４に示すように、断面視、底面１０８には指の腹面Ｆ３が接しており、右カバー１０４は、指の側面Ｆ１の下端から上端を経由して、指の上面Ｆ４の中央近傍まで延出している。左カバー１０３は、指の側面Ｆ２の下端から上端を経由し、指の上面Ｆ４の中央近傍まで延出しており、左カバー１０３の先端と右カバー１０４の先端は、重ね合わされ係止部１０５及び係止部１０６によって互いに係止されている。底面１０８、右カバー１０４及び左カバー１０３は、ネイルリムーバー液を含浸させたコットンＣとネイルが施術された爪の指をしっかりと包み込むことができる。また、底面１０８、右カバー１０４及び左カバー１０３は、一体的に成形されている。そのため、ネイルリムーバー液を含浸させたコットンＣからネイルリムーバー液が漏出しても、ネイルリムーバー液は底面１８の上に溜まることになり、ネイル除去補助具１０００の外には漏出することがない。
【０１６６】  ネイル除去補助具１０００の先端カバー１０７の内側には、発熱材料を取り付けて、ネイル除去補助具１０００を装着した際に、内部を温められるようにしても良い。発熱材料は、鉄粉、炭粉及び塩を混ぜ合わせた既製の発熱材料を爪のサイズに合わせた密閉した小袋に封入して作成する。ネイルリムーバー液を含浸させたコットンＣの上に発熱材料を配置することで、ネイルを施術した爪を温め、ネイルが剥がれやすくなるので、効率よく、ネイル除去作業を行うことができる。発熱材料は、先端カバー１０７の内側に設けるほか、右カバー１０４や左カバー１０３の内側に取り付けられるようにしても良い。また、ネイル除去作業の際に、ネイルリムーバー液を含浸させたコットンＣの上に発熱材料を重ねて、右カバー１０４と左カバー１０３を上から覆うように留め合わせてネイル除去を行っても良い。ネイル除去補助具１０００の上から既製の携帯用カイロをあてて、温めながらネイル除去補助具１０００を使用しても良い。
【０１６７】  先端カバー１０７の内側に発熱材料と一緒にセラミックス素材の小片を貼り付けた構造にすると、温められたセラミックス素材から遠赤外線が発生し、ネイルを施術した爪を温めるので、ネイルが更に剥がれやすくなり、ネイル除去の時間を短縮することができる。また、発熱材料を使わず、温めたセラミックス素材の小片を、直接、ネイルリムーバー液を含浸させたコットンＣの上に載せて、ネイル除去補助具１０００を使用しても良い。温めたセラミックスから遠赤外線が発生し、ネイルを施術した爪からネイルが剥がれやすくなり、効率的にネイル除去を行うことができる。 
【符号の説明】
【０１６８】１００，２００，３００，４００，５００，６００，７００，８００，９００，１０００  ネイル除去補助具１１                先端部      １１ａ            凸部１２                裾部１２ａ            Ｕ字切り欠き部１２ｂ            左つまみ部１２ｃ            右つまみ部１３                  溝１４                  裏面１５、１６          係止部２３                  左カバー２４                  右カバー２５，２６           係止部２７                  先端カバー２８                  底面     ３３      左カバー３４                  右カバー３５，３６           係止部３７                  先端カバー３８                  底面３９                  つまみ４１      保持部４３      左カバー４４                  右カバー４５，４６           係止部４７                  先端カバー４８                  底面５１                  保持部５３                 左カバー５４                  右カバー５５，５６           係止部５７ａ，５７ｂ  先端カバー５８                  底面６３      指カバー６５                 係止部突起６６                  係止部穴６７                  先端蓋７３      左カバー ７３ａ          凸部７４                  右カバー  ７４ａ              凸部７５                  溝７７                  先端カバー  ７７ａ              溝７８                  底面  ７８ａ              溝８３      左カバー８４                  右カバー８５                  キノコ形係止部８６                  孔８７                  先端カバー  ８７ａ   頂部  ８７ｂ   端部  ８７ｃ   爪押さえ面８８                  底面９３                  左カバー９４                  右カバー９５                  キノコ形係止部９６                  孔９７                  先端カバー９８                  底面１０１               保持部１０３               左カバー１０４                右カバー１０５，１０６      係止部１０７                先端カバー  １０７ａ 頂部１０８                底面 Ｃ                    ネイルリムーバー液を含浸させたコットンＦ                    指  Ｆ１，Ｆ２          指の側面  Ｆ３                指の腹面  Ｆ４                指の上面Ｈ                    手 
【図１】
2016147480.tif 000003
【図２】
2016147480.tif 000004
【図３】
2016147480.tif 000005
【図４】
2016147480.tif 000006
【図５】
2016147480.tif 000007
【図６】
2016147480.tif 000008
【図７】
2016147480.tif 000009
【図８】
2016147480.tif 000010
【図９】
2016147480.tif 000011
【図１０】
2016147480.tif 000012
【図１１】
2016147480.tif 000013
【図１２】
2016147480.tif 000014
【図１３】
2016147480.tif 000015
【図１４】
2016147480.tif 000016
【図１５】
2016147480.tif 000017
【図１６】
2016147480.tif 000018
【図１７】
2016147480.tif 000019
【図１８】
2016147480.tif 000020
【図１９】
2016147480.tif 000021
【図２０】
2016147480.tif 000022
【図２１】
2016147480.tif 000023
【図２２】
2016147480.tif 000024
【図２３】
2016147480.tif 000025
【図２４】
2016147480.tif 000026
【図２５】
2016147480.tif 000027
【図２６】
2016147480.tif 000028
【図２７】
2016147480.tif 000029
【図２８】
2016147480.tif 000030
【図２９】
2016147480.tif 000031
【図３０】
2016147480.tif 000032
【図３１】
2016147480.tif 000033
【図３２】
2016147480.tif 000034
【図３３】
2016147480.tif 000035
【図３４】
2016147480.tif 000036
【図３５】
2016147480.tif 000037
【図３６】
2016147480.tif 000038
【図３７】
2016147480.tif 000039
【図３８】
2016147480.tif 000040
【図３９】
2016147480.tif 000041
【図４０】
2016147480.tif 000042
【図４１】
2016147480.tif 000043
【図４２】
2016147480.tif 000044
【図４３】
2016147480.tif 000045
【図４４】
2016147480.tif 000046
【図４５】
2016147480.tif 000047
【図４６】
2016147480.tif 000048
【図４７】
2016147480.tif 000049
【図４８】
2016147480.tif 000050
【図４９】
2016147480.tif 000051
【図５０】
2016147480.tif 000052
【図５１】
2016147480.tif 000053
【図５２】
2016147480.tif 000054
【図５３】
2016147480.tif 000055
【図５４】
2016147480.tif 000056
【図５５】
2016147480.tif 000057
【図５６】
2016147480.tif 000058
【図５７】
2016147480.tif 000059
【図５８】
2016147480.tif 000060
【図５９】
2016147480.tif 000061
【図６０】
2016147480.tif 000062
【図６１】
2016147480.tif 000063
【図６２】
2016147480.tif 000064
【図６３】
2016147480.tif 000065
【図６４】
2016147480.tif 000066
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
シリコン、ゴム等の弾性を有する素材からなり、且つ、指の第一関節から先を挿入できる内部空間を有する先端部と、
前記先端部に前記先端部と一体的に設けられた裾部とを備え、
前記先端部と前記裾部とによって、吸水性を有する素材からなりネイルリムーバー液を内部に保持するネイルリムーバー液保持体を爪の表面に接触させ、その状態で指を挿入する内部空洞を形成すると共に、
前記先端部内に指を挿入した状態で爪が接触するエリアに、ネイルリムーバー液保持体を所定位置に固定するネイルリムーバー液保持体固定部と、
前記裾部の端縁であって、前記先端部に指を挿入した際に指の腹側となる側の端縁から設けたＵ字形状の切り欠きであるＵ字切り欠き部と、
を備えたことを特徴とするネイル除去補助具。
【請求項２】
前記Ｕ字切り欠き部は、前記裾部の下端から前記先端部と前記裾部の境界近傍まで達していることを特徴とする請求項１に記載のネイル除去補助具。
【請求項３】
前記ネイルリムーバー液保持体固定部は複数の凸部で構成されると共に、
前記Ｕ字切り欠き部の横幅寸法は、前記裾部の外周の長さに対して３分の１以上２分の１以下であることを特徴とする請求項１又は２に記載のネイル除去補助具。
【国際調査報告】
2016147480.tif 000067
2016147480.tif 000068
2016147480.tif 000069
2016147480.tif 000070